(57)【特許請求の範囲】
【請求項１】
ワイヤレス通信において圧縮モードを実施するための方法であって、
第1の圧縮間隔の間、あるスロットフォーマットおよびある拡散率を有するダウンリンク専用物理チャネル(DPCH)を受信するステップであって、前記ダウンリンクDPCHが、前記第1の圧縮間隔の間、圧縮モード送信ギャップを含まない、ステップと、
第2の圧縮間隔の間、前記第1の圧縮間隔の間と同じスロットフォーマットおよび同じ拡散率を有する前記ダウンリンクDPCHを受信するステップと、
前記ダウンリンクDPCHが、前記第2の圧縮間隔の間、圧縮モード送信ギャップを含むことを決定するステップであって、前記ダウンリンクDPCHはスロットの全てにマップされるが、前記圧縮モード送信ギャップの間のスロットが、送信されないことまたは低減した電力またはゼロ電力で送信されることでパンクチャされる、ステップと、
前記第2の圧縮間隔の間に受信されたパンクチャされていない1組の残りのスロットに基づいて、前記第2の圧縮間隔の前記ダウンリンクDPCHを復号するステップと
を含む方法。
【請求項２】
前記第2の圧縮間隔の間に受信された前記ダウンリンクDPCHに基づいてダウンリンク信号対干渉比(SIR)を推定するステップと、
前記推定されたダウンリンクSIRを調整されたSIRターゲットと比較するステップであって、前記調整されたSIRターゲットが、前記第2の圧縮間隔が圧縮モード送信ギャップを含むことの前記決定に基づいて増加される、ステップと、
前記推定されたダウンリンクSIRが前記調整されたSIRターゲットを満たすかどうかに基づいてアップリンクTPCコマンドを生成するステップと
をさらに含む、請求項1に記載の方法。
【請求項３】
前記スロットフォーマットがパイロット信号を含まず、TPCコマンドがスロットの終わりにあり、前記ダウンリンクSIRを推定するステップが、前記圧縮モード送信ギャップの最後のスロットにおいて受信された固定値を有する前記TPCコマンドに基づいて、前記ダウンリンクSIRを推定するステップを含む、請求項2に記載の方法。
【請求項４】
前記調整されたSIRターゲットが、10ミリ秒のDPCH送信のために構成されたSIRターゲットと同じである、請求項2に記載の方法。
【請求項５】
前記第1の圧縮間隔の間、前記拡散率を使用した前記スロットフォーマットを有する前記ダウンリンクDPCHを受信するステップが、前記第1の圧縮間隔の最初の10msフレームにおけるスロットに基づいて、前記ダウンリンクDPCHを復号するステップを含む、請求項1に記載の方法。
【請求項６】
前記ダウンリンクDPCHが、アップリンクDPCH送信モードに関係なく、前記第2の圧縮間隔において20ミリ秒の送信を使用する、請求項1に記載の方法。
【請求項７】
前記受信されたダウンリンクDPCHスロットに基づいて前記第2の圧縮間隔の終わる前に前記第2の圧縮間隔の前記ダウンリンクDPCHを正常に復号するステップと、
前記ダウンリンクDPCHが前記第2の圧縮間隔の間に正常に復号された旨の肯定応答を送信するステップと
をさらに含む、請求項1に記載の方法。
【請求項８】
圧縮モード構成を受信するステップをさらに含み、前記圧縮モード構成が、2つの連続する圧縮間隔における圧縮モード送信ギャップにおけるスロットの総数が15以下であるように、送信ギャップ長および送信ギャップ距離を設定する、請求項1に記載の方法。
【請求項９】
前記ダウンリンクDPCHの有効なコーディングレートがしきい値を超えると、前記第2の圧縮間隔における前記ダウンリンクDPCHが、ブーストされた電力で送信される、請求項1に記載の方法。
【請求項１０】
ワイヤレス通信において圧縮モードを実施するための装置であって、
第1の圧縮間隔の間、あるスロットフォーマットおよびある拡散率を有するダウンリンク専用物理チャネル(DPCH)を受信するための手段であって、前記ダウンリンクDPCHが、前記第1の圧縮間隔の間、圧縮モード送信ギャップを含まない、手段と、
第2の圧縮間隔の間、前記第1の圧縮間隔の間と同じスロットフォーマットおよび同じ拡散率を有する前記ダウンリンクDPCHを受信するための手段と、
前記ダウンリンクDPCHが、前記第2の圧縮間隔の間、圧縮モード送信ギャップを含むことを決定するための手段であって、前記ダウンリンクDPCHはスロットの全てにマップされるが、前記圧縮モード送信ギャップの間のスロットが、送信されないことまたは低減した電力またはゼロ電力で送信されることでパンクチャされる、手段と、
前記第2の圧縮間隔の間に受信されたパンクチャされていない11組の残りのスロットに基づいて、前記第2の圧縮間隔の前記ダウンリンクDPCHを復号するための手段と
を含む装置。
【請求項１１】
前記第2の圧縮間隔の間に受信された前記ダウンリンクDPCHに基づいてダウンリンク信号対干渉比(SIR)を推定するための手段と、
前記推定されたダウンリンクSIRを調整されたSIRターゲットと比較するための手段であって、前記調整されたSIRターゲットが、前記第2の圧縮間隔が圧縮モード送信ギャップを含むことの前記決定に基づいて増加される、手段と、
前記推定されたダウンリンクSIRが前記調整されたSIRターゲットを満たすかどうかに基づいてアップリンクTPCコマンドを生成するための手段と
をさらに含む、請求項10に記載の装置。
【請求項１２】
コンピュータ実行可能コードを記憶しているコンピュータ可読記憶媒体であって、
第1の圧縮間隔の間、あるスロットフォーマットおよびある拡散率を有するダウンリンク専用物理チャネル(DPCH)を受信するためのコードであって、前記ダウンリンクDPCHが、前記第1の圧縮間隔の間、圧縮モード送信ギャップを含まない、コードと、
第2の圧縮間隔の間、前記第1の圧縮間隔の間と同じスロットフォーマットおよび同じ拡散率を有する前記ダウンリンクDPCHを受信するためのコードと、
前記ダウンリンクDPCHが、前記第2の圧縮間隔の間、圧縮モード送信ギャップを含むことを決定するためのコードであって、前記ダウンリンクDPCHはスロットの全てにマップされるが、前記圧縮モード送信ギャップの間のスロットが、送信されないことまたは低減した電力またはゼロ電力で送信されることでパンクチャされる、コードと、
前記第2の圧縮間隔の間に受信されたパンクチャされていない1組の残りのスロットに基づいて、前記第2の圧縮間隔の前記ダウンリンクDPCHを復号するためのコードと
を含む、コンピュータ可読記憶媒体。
【請求項１３】
ワイヤレス通信において圧縮モードを実施するための装置であって、
第1の圧縮間隔の間、あるスロットフォーマットおよびある拡散率を有するダウンリンク専用物理チャネル(DPCH)を送信するための手段であって、前記ダウンリンクDPCHが、前記第1の圧縮間隔の間、圧縮モード送信ギャップを含まない、手段と、
前記ダウンリンクDPCHが、第2の圧縮間隔の間、圧縮モード送信ギャップを含むことを決定するための手段と、
第2の圧縮間隔の全てのスロットの間、前記圧縮モード送信ギャップの間のスロットを除く前記第1の圧縮間隔の間と同じスロットフォーマットおよび同じ拡散率を有する前記ダウンリンクDPCHを送信するための手段であって、前記ダウンリンクDPCHは前記スロットの全てにマップされ、前記圧縮モード送信ギャップの間のスロットが、送信されないことまたは低減した電力またはゼロ電力で送信されることでパンクチャされる、手段と、
を含む装置。
【請求項１４】
ワイヤレス通信において圧縮モードを実施するための方法であって、
第1の圧縮間隔の間、あるスロットフォーマットおよびある拡散率を有するダウンリンク専用物理チャネル(DPCH)を送信するステップであって、前記ダウンリンクDPCHが、前記第1の圧縮間隔の間、圧縮モード送信ギャップを含まない、ステップと、
前記ダウンリンクDPCHが、第2の圧縮間隔の間、圧縮モード送信ギャップを含むことを決定するステップと、
第2の圧縮間隔の全てのスロットの間、前記圧縮モード送信ギャップの間のスロットを除く前記第1の圧縮間隔の間と同じスロットフォーマットおよび同じ拡散率を有する前記ダウンリンクDPCHを送信するステップであって、前記ダウンリンクDPCHは前記スロットの全てにマップされ、前記圧縮モード送信ギャップの間のスロットが、送信されないことまたは低減した電力またはゼロ電力で送信されることでパンクチャされる、ステップと、
を含む方法。
【請求項１５】
コンピュータ実行可能コードを記憶しているコンピュータ可読記憶媒体であって、
第1の圧縮間隔の間、あるスロットフォーマットおよびある拡散率を有するダウンリンク専用物理チャネル(DPCH)を送信するためのコードであって、前記ダウンリンクDPCHが、前記第1の圧縮間隔の間、圧縮モード送信ギャップを含まない、コードと、
前記ダウンリンクDPCHが、第2の圧縮間隔の間、圧縮モード送信ギャップを含むことを決定するためのコードと、
第2の圧縮間隔の全てのスロットの間、前記圧縮モード送信ギャップの間のスロットを除く前記第1の圧縮間隔の間と同じスロットフォーマットおよび同じ拡散率を有する前記ダウンリンクDPCHを送信するためのコードであって、前記ダウンリンクDPCHは前記スロットの全てにマップされ、前記圧縮モード送信ギャップの間のスロットが、送信されないことまたは低減した電力またはゼロ電力で送信されることでパンクチャされる、コードと、
を含むコンピュータ可読記憶媒体。
【発明の詳細な説明】
【技術分野】
【０００１】
優先権の主張
本出願は、その各々が出願の譲受人に譲渡され、参照によりその全体が明白に本明細書に組み込まれる、2015年1月21日に出願された「COMPRESSED MODE WITH DCH ENHANCEMENTS」という名称の米国非仮出願第14/602,034号、2014年7月3日に出願された「COMPRESSED MODE IN BASIC CONFIGURATION OF DCH ENHANCEMENTS WITHOUT SPREADING FACTOR REDUCTION」という名称の仮米国出願第62/020,786号、2014年5月9日に出願された「DL DCH IN COMPRESSED MODE WITHOUT SPREADING FACTOR REDUCTION」という名称の米国仮出願第61/991,376号、および2014年3月21日に出願された「DCH ENHANCEMENTS IN COMPRESSED MODE」という名称の米国仮出願第61/969,004号の優先権を主張する。
【０００２】
本開示の態様は、一般にワイヤレス通信システムに関し、より詳細には、ワイヤレス通信の物理レイヤ構成に関する。
【背景技術】
【０００３】
ワイヤレス通信ネットワークは、電話、ビデオ、データ、メッセージング、ブロードキャストなどの様々な通信サービスを提供するために広く展開されている。通常、多元接続ネットワークであるそのようなネットワークは、利用可能なネットワークリソースを共有することによって複数のユーザ向けの通信をサポートする。そのようなネットワークの一例は、UMTS地上無線アクセスネットワーク(UTRAN: UMTS Terrestrial Radio Access Network)である。UTRANは、第3世代パートナーシッププロジェクト(3GPP)によってサポートされる第3世代(3G)モバイルフォン技術である、Universal Mobile Telecommunications System(UMTS)の一部として定義された無線アクセスネットワーク(RAN)である。UMTSは、モバイル通信用グローバルシステム(GSM(登録商標):Global System for Mobile Communications)技術の後継であり、広帯域符号分割多元接続(WCDMA(登録商標))、時分割符号分割多元接続(TD-CDMA)、および時分割同期符号分割多元接続(TD-SCDMA)などの様々なエアインターフェース規格を現在サポートしている。また、UMTSは、関連するUMTSネットワークへより高いデータ転送速度および容量を提供する、高速パケットアクセス(HSPA)などの拡張3Gデータ通信プロトコルもサポートする。
【０００４】
モバイルブロードバンドアクセスに対する需要が高まり続ける中で、モバイルブロードバンドアクセスに対して高まる需要を満たすためだけではなく、モバイル通信のユーザ体験を進化させて向上させるために、研究開発はUMTS技術を進化させ続けている。
【０００５】
リリース99は、直交可変拡散率(OVSF)コードに基づいてユーザ機器(UE)と基地局またはノードBとの間の専用チャネルを定義した規格である。いくつかのワイヤレスネットワークは、様々なサービスのためにリリース99チャネルに依存し続けている。たとえば、音声通話は、リリース99専用チャネル(DCH)を介して運ばれ得る。リリース99チャネルは、UEが別の周波数または別の無線アクセス技術(RAT)における測定を実行できるようにするために、圧縮モード(CM)動作を可能にする。リリース99 CM動作は、DCHの拡散率を低減し得る。そのような拡散率の低減は、コードツリーのネットワーク管理についての問題を提示し、または、非直交コードが使用されるとき、追加の干渉をもたらす可能性がある。
【発明の概要】
【発明が解決しようとする課題】
【０００６】
上記に鑑みて、圧縮モード動作の代替方法が望ましいことが理解できる。
【課題を解決するための手段】
【０００７】
本開示は、ワイヤレス通信において圧縮モード送信ギャップを提供する。ユーザ機器(UE)は、第1の圧縮間隔の間、あるスロットフォーマットおよびある拡散率を有するダウンリンク専用物理チャネル(DPCH)を受信し得る。ダウンリンクDPCHは、第1の圧縮間隔の間、圧縮モード送信ギャップを含まない場合がある。UEは、第2の圧縮間隔の間、同じスロットフォーマットおよび同じ拡散率を有するダウンリンクDPCHを受信し得る。UEは、ダウンリンクDPCHが、第2の圧縮間隔の間、圧縮モード送信ギャップを含むことを決定し得る。送信ギャップの間のダウンリンクDPCHの1組のスロットがパンクチャされ得る。UEは、第2の圧縮間隔の間に受信された1組の残りのスロットに基づいて、第2の圧縮間隔のダウンリンクDPCHを復号し得る。一態様では、UEは、送信ギャップの最後のスロットにおけるTPCコマンドに基づいてSIRを推定し得る。
【０００８】
一態様では、本開示は、ワイヤレス通信において圧縮モード送信ギャップを提供する方法を提供する。本方法は、第1の圧縮間隔の間、あるスロットフォーマットおよびある拡散率を有するダウンリンク専用物理チャネルDPCHを受信するステップを含み得、ダウンリンクDPCHは、第1の圧縮間隔の間、圧縮モード送信ギャップを含まない。本方法は、第2の圧縮間隔の間、同じスロットフォーマットおよび同じ拡散率を有するダウンリンクDPCHを受信するステップをさらに含み得る。本方法は、ダウンリンクDPCHが、第2の圧縮間隔の間、圧縮モード送信ギャップを含むことを決定するステップも含み得、送信ギャップの間のダウンリンクDPCHの1組のスロットがパンクチャされる。本方法は、第2の圧縮間隔の間に受信された1組の残りのスロットに基づいて、第2の圧縮間隔のダウンリンクDPCHを復号するステップをさらに含み得る。
【０００９】
別の態様では、本開示は、ワイヤレス通信において圧縮モード送信ギャップを提供するための装置を含む。本装置は、第1の圧縮間隔の間、あるスロットフォーマットおよびある拡散率を有するダウンリンク専用物理チャネル(DPCH)を受信することであって、ダウンリンクDPCHは、第1の圧縮間隔の間、圧縮モード送信ギャップを含まない、受信することと、第2の圧縮間隔の間、同じスロットフォーマットおよび同じ拡散率を有するダウンリンクDPCHを受信することと、を行うように構成された受信機を含み得る。本装置は、ダウンリンクDPCHが、第2の圧縮間隔の間、圧縮モード送信ギャップを含むことを決定するように構成された送信ギャップ構成要素をさらに含み得、送信ギャップの間のダウンリンクDPCHの1組のスロットがパンクチャされる。本装置は、第2の圧縮間隔の間に受信された1組の残りのスロットに基づいて、第2の圧縮間隔のダウンリンクDPCHを復号するように構成されたデコーダも含み得る。
【００１０】
別の態様では、本開示は、ワイヤレス通信において圧縮モード送信ギャップを提供するための別の装置を含む。本装置は、第1の圧縮間隔の間、あるスロットフォーマットおよびある拡散率を有するダウンリンクDPCHを受信するための手段を含み得、ダウンリンクDPCHは、第1の圧縮間隔の間、圧縮モード送信ギャップを含まない。本装置は、第2の圧縮間隔の間、同じスロットフォーマットおよび同じ拡散率を有するダウンリンクDPCHを受信するための手段をさらに含み得る。本装置は、ダウンリンクDPCHが、第2の圧縮間隔の間、圧縮モード送信ギャップを含むことを決定するための手段も含み得、送信ギャップの間のダウンリンクDPCHの1組のスロットがパンクチャされる。本装置は、第2の圧縮間隔の間に受信された1組の残りのスロットに基づいて、第2の圧縮間隔のダウンリンクDPCHを復号するための手段をさらに含み得る。
【００１１】
本開示の別の態様は、コンピュータ実行可能コードを記憶するコンピュータ可読媒体を提供する。本コンピュータ可読媒体は、第1の圧縮間隔の間、あるスロットフォーマットおよびある拡散率を有するダウンリンクDPCHを受信するためのコードを含み得、ダウンリンクDPCHは、第1の圧縮間隔の間、圧縮モード送信ギャップを含まない。本コンピュータ可読媒体は、第2の圧縮間隔の間、同じスロットフォーマットおよび同じ拡散率を有するダウンリンクDPCHを受信するためのコードも含み得る。本コンピュータ可読媒体は、ダウンリンクDPCHが、第2の圧縮間隔の間、圧縮モード送信ギャップを含むことを決定するためのコードをさらに含み得、送信ギャップの間のダウンリンクDPCHの1組のスロットがパンクチャされる。本コンピュータ可読媒体は、第2の圧縮間隔の間に受信された1組の残りのスロットに基づいて、第2の圧縮間隔のダウンリンクDPCHを復号するためのコードをさらに含み得る。コンピュータ可読媒体は、非一時的コンピュータ可読媒体であってもよい。
【００１２】
本発明のこれらの態様および他の態様は、以下の詳細な説明を検討すれば、より十分に理解されるであろう。
【図面の簡単な説明】
【００１３】
【図１】ノードBと通信しているUEの一例を示す図である。
【図２】ワイヤレス通信において圧縮モード送信ギャップを提供するための方法の一例を示すフロー図である。
【図３】ワイヤレス通信において圧縮モード送信ギャップを提供するための別の方法の一例を示すフロー図である。
【図４】ワイヤレス通信において圧縮モード送信ギャップを提供するための別の方法の一例を示すフロー図である。
【図５】アップリンク送信を圧縮間隔のスロットにマッピングする方法の一例を示すフロー図である。
【図６】送信ギャップを含む例示的なフレーム構造を示す図である。
【図７】送信ギャップを含む別の例示的なフレーム構造を示す図である。
【図８】送信ギャップを含む別のフレーム構造を示す図である。
【図９】圧縮モードのためのダウンリンクパイロットフリースロットフォーマット(pilot free slot format)を示す図である。
【図１０】処理システムを使用する装置についてのハードウェア実装形態の一例を示すブロック図である。
【図１１】電気通信システムの一例を概念的に示すブロック図である。
【図１２】アクセスネットワークの一例を示す概念図である。
【図１３】ユーザおよび制御プレーンのための無線プロトコル構造の一例を示す概念図である。
【図１４】電気通信システムにおいてUEと通信しているノードBの例を概念的に示すブロック図である。
【発明を実施するための形態】
【００１４】
添付の図面に関して以下に説明される詳細な説明は、種々の構成を説明することを意図しており、本明細書において説明される概念を実践することができる唯一の構成を表すことは意図していない。詳細な説明は、様々な概念の完全な理解を提供するために具体的な詳細を含む。しかしながら、これらの概念がこれらの具体的な詳細を伴わずに実践され得ることは当業者に明らかであろう。場合によっては、そのような概念を曖昧にすることを回避するために、よく知られている構造および構成要素がブロック図の形態で示されている。
【００１５】
いくつかのワイヤレスネットワークでは、依然としてリリース99チャネルが使用されている。たとえば、チャネル信頼性のために音声通話にリリース99専用チャネルがしばしば使用される。一般に、音声通話は、20ミリ秒(ms)の送信時間間隔(TTI)を有するリリース99専用チャネル(DCH)を介して運ばれる20msの音声パケットとして送信される。リリース99 DCHに対する最近の拡張は、バッテリー寿命などのリソースを節約し、ネットワーク容量を向上させるように設計されている。シグナリングが送信されていないとき、シグナリング無線ベアラ(SRB)サブフローのためのビットを低減することによって、物理チャネルビット割振りの効率を向上させるために、擬似フレキシブルレートマッチング(pseudo-flexible rate matching)が使用され得る。SRBが送信されるとき、送信電力は、コーディングレートの増加を補償するために増加され得る。DCHも、受信機または送信機をオフにする機会を作り出すことによって拡張され得る。アップリンクにおいて、通常、20msのTTIを介して送られるデータが10msのTTIを介して送られ、送信機および受信機が別の10msの期間の間にオフにされ得るように、専用物理データチャネル(DPDCH)は、物理レイヤで圧縮され得る。圧縮は、より高いピーク電力を使用し得るので、UEは、送信電力ヘッドルームに基づいて10msのTTIモードと20msのTTIモードとの間で切り替わり得る。モードをシグナリングし、送信を復号するのを助けるために、トランスポートフォーマット組合せインジケータ(TFCI)ビットがアップリンクにおいて送信され得る。ダウンリンクにおいて、フレーム早期検出(FET)は、送信が完了する前に、ダウンリンクDPDCHを復号するための複数の試行を含み得る。早期の復号が成功すると、肯定応答(ACK)がアップリンク上で送られ得、TTIの残りの部分は、不連続送信(DTX)または不連続受信(DRX)に設定され得る。TFCIビットが送信された後のスロットにおいて肯定応答が送信され得る。
【００１６】
一態様では、本開示によれば、リリース99 DCHに対する上記の拡張を使用して、圧縮モードが構成され得る。ダウンリンクにおいて、DPCHは、圧縮間隔ごとに同じスロットフォーマットおよび拡散率を使用し得る。送信ギャップを含む圧縮間隔は、送信ギャップのない圧縮間隔と同じスロットフォーマットおよび拡散率を有し得る。送信ギャップの間、不連続送信(DTX)が使用され得る。UEは、送信されるDPCHの残りのスロットに基づいて、DPCHを復号し得る。さらに、1つのスロットフォーマットによれば、各スロットの終わりに、送信電力制御(TPC)コマンドが送信され得る。固定値を有するTPCコマンドは、送信ギャップの最後のスロットの終わりに送信され得る。UEは、SIRを推定するために、固定値を有するTPCコマンドを使用し得る。一態様では、ダウンリンクDPCHの圧縮モードは、他のDCHの拡張なしに実施され得る。たとえば、ダウンリンクDPCHは、常にFETのない20msのTTIを使用し得る。
【００１７】
アップリンクにおいて、送信は、圧縮モード送信ギャップのスロットを除いたスロットにマッピングされ得る。送信は、圧縮モード送信ギャップのスロットでなく、圧縮モード送信ギャップの前と後の両方のスロットを使用し得る。TFCIビットがパンクチャリングなしに送信されるように、TFCIビットは、送信されたスロットにマッピングされ得る。ひとたびすべてのTFCIビットが送信されると、FET ACK/NAKフィールドは、TTIにおけるTFCIビットに取って代わり得る。
【００１８】
図1を参照すると、一態様では、ワイヤレス通信システム10は、少なくとも1つのネットワークエンティティ14(たとえば、基地局またはノードB)の通信カバレージ内の少なくとも1つのUE12を含み、UE12は、DCH上の送信ギャップを提供するための圧縮モード構成要素40を含む。ネットワークエンティティ14は、DCH上の送信ギャップを提供するための対応する圧縮モード構成要素60も含み得る。UE12は、ネットワークエンティティ14および無線ネットワークコントローラ(RNC)16を介してネットワーク18と通信し得る。いくつかの態様では、UE12を含む複数のUEが、ネットワークエンティティ14を含む1つまたは複数のネットワークエンティティによる通信カバレージ中にあり得る。一例では、UE12は、ネットワークエンティティ14との間でワイヤレス通信を送信および/または受信することができる。一態様では、RNC16は、UE12と1つまたは複数のネットワークエンティティ14との間の通信を制御し得る。たとえば、RNC16は、UE12およびネットワークエンティティ14によって実装される圧縮モードの特性を決定し得る。
【００１９】
いくつかの態様では、UE12はまた、当業者によって(ならびに本明細書において互換的に)、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、端末、ユーザエージェント、モバイルクライアント、クライアント、モノのインターネット用デバイスと呼ばれるか、または何らかの他の適切な用語で呼ばれることもある。加えて、ネットワークエンティティ14は、マクロセル、ピコセル、フェムトセル、中継器、ノードB、モバイルノードB、(たとえば、ピアツーピアまたはアドホックモードでUE12と通信する)UE、またはUE12においてワイヤレスネットワークアクセスを提供するためにUE12と通信することができるほぼどんなタイプの構成要素でもあり得る。
【００２０】
一態様では、ネットワークエンティティ14は、たとえばUTRAネットワークにおけるノードBなどの基地局であり得る。ネットワークエンティティ14は、ネットワーク18と直接通信することができ、または無線ネットワークコントローラ(RNC)16を介して通信することができる。一態様では、ネットワークエンティティ14および/またはRNC16は、UE12との通信のためのピア圧縮モード構成要素60を含み得る。一例では、UE12は、ネットワークエンティティ14との間でワイヤレス通信20を送信および/または受信することができる。そのようなワイヤレス通信20は、たとえば、UE12とネットワークエンティティ14との間の専用チャネル(DCH)であり得る。物理レイヤでは、DCHは、専用物理チャネル(DPCH)を含み得る。DPCHは、専用物理データチャネル(DPDCH)および/または専用物理制御チャネル(DPCCH)を含み得る。
【００２１】
本態様によれば、UE12などのワイヤレスデバイスは、ワイヤレス通信20を管理するように構成され得るモデム構成要素30を含み得る。一態様では、モデム構成要素30は、DCHの拡張を使用して圧縮モード動作を扱うように動作可能であり得る。一態様では、本明細書で使用する「構成要素」という用語は、システムを構成するパーツのうちの1つであってもよく、ハードウェア、ファームウェア、および/またはハードウェアによって実行され得るソフトウェアであってもよく、他の構成要素に分割されてもよい。一態様では、モデム構成要素30は、UE12とRNC16との間の上位レイヤシグナリングを制御する無線リソース制御(RRC)構成要素32と、無線信号を送信するための送信機34と、無線信号を受信するための受信機36と、物理レイヤ通信を管理するための圧縮モード構成要素40とを含み得る。
【００２２】
RRC構成要素32は、RRCプロトコルを実施するためのハードウェアまたは手段を含み得る。一態様では、RRC構成要素32は、RRCプロトコルを実施するためのファームウェアまたはソフトウェアを実行するプロセッサを含み得る、またはそれによって実行可能であり得る。たとえば、RRCプロトコルは、3GPP TS 25.331に記載され得る。特に、RRC構成要素32は、圧縮モード動作のためのシグナリングを受信し得る。たとえば、RRC構成要素32は、DPCH圧縮モード情報情報要素(IE)を含むメッセージを受信し得る。DPCH圧縮モードIEは、たとえば、送信ギャップパターンシーケンス(TGPS)、送信ギャップ測定目的(TGMP)、送信ギャップ開始スロット番号(TGSN)、1つまたは複数の送信ギャップ長(TGL)、送信ギャップ距離(TGD)、送信ギャップパターン長(TGPL)、電力オフセット、および/またはUE12によって実施されるように圧縮モード送信ギャップを定義するネットワークからの他の情報を含み得る。一態様では、圧縮モード構成は、送信ギャップがDL DPCHの過剰なパンクチャリングをもたらすことを防ぐために制限され得る。たとえば、圧縮モード構成は、40msの期間における送信ギャップの15以下のスロットを許容するように制限され得る。
【００２３】
送信機34は、ワイヤレス無線周波数(RF)信号を送信するためのハードウェアを含み得る。たとえば、送信機34は、アンテナ、送信機、デジタルアナログ変換器、およびフィルタなど、送信チェーン構成要素を含み得る。いくつかの場合には、送信機34は、たとえば、そのような構成要素がモデムに含まれないとき、変調器および/または類似のデバイスを含み得る。送信機34は、ネットワークエンティティ14または別の基地局によって使用される周波数に同調され得る。
【００２４】
受信機36は、ワイヤレスRF信号を受信するためのハードウェアを含み得る。たとえば、受信機36は、アンテナ、アナログデジタル変換器、およびフィルタなど、受信チェーン構成要素を含み得る。いくつかの場合には、受信機36は、たとえば、そのような構成要素がモデムに含まれないとき、復調器および/または類似のデバイスを含み得る。受信機36は、特定周波数またはチャネルで信号を受信するために、独立して同調され得る。たとえば、送信ギャップの間、受信機36は、測定を実行するために、異なる周波数に同調され得る。
【００２５】
本明細書で説明するように、圧縮モード構成要素40は、DCH上の圧縮モード送信ギャップを提供するためのハードウェアまたは手段を含み得る。さらに、一態様では、圧縮モード構成要素40は、圧縮モード送信ギャップを提供するためのファームウェアまたはソフトウェアを実行するプロセッサを含み得る、またはそれによって実行可能であり得る。たとえば、圧縮モード構成要素40は、アップリンク送信の圧縮間隔の間の1組のギャップスロットを使用する圧縮モード送信ギャップを含むためにRRC構成要素32によって受信されたシグナリングに基づいてアップリンクDPCHを構成し得る。圧縮モード構成要素40は、アップリンク送信を圧縮間隔における1組のマッピングされたスロットにマッピングすることができ、1組のマッピングされたスロットは、1組のギャップスロットを除く。圧縮モード構成要素40は、1組のギャップスロットの間でなく、マッピングされたスロットの間にアップリンク送信を送信するように送信機34を制御することができる。ダウンリンクでは、圧縮モード構成要素40は、あるスロットフォーマットおよびある拡散率を有するダウンリンクDPDCHを受信し得る。ダウンリンクDPDCHは、送信ギャップのない圧縮間隔のスロットフォーマットおよび拡散率と同じスロットフォーマットおよび拡散率を、送信ギャップを含む圧縮間隔に使用し得る。1つのスロットフォーマットによれば、DPDCHは、パイロット信号を含まない可能性があり、TPCコマンドは、スロットの終わりにあり得る。圧縮モード構成要素は、DPDCHの圧縮間隔が圧縮モード送信ギャップを含むようにスケジュールされることを決定し得る。圧縮モード構成要素40は、圧縮間隔の間の信号対干渉比(SIR)を推定し、SIRを増加したターゲットSIRと比較し得る。SIRを推定することは、固定値を有する送信ギャップの最後のスロットにおいて受信されたTPCコマンドに基づき得る。一態様では、SIRは、信号対干渉プラス雑音比(SINR)または類似の測定値を含み得る。圧縮モード構成要素40は、レートマッチング構成要素42、送信ギャップ構成要素44、スロットマッピング構成要素46、デコーダ48、および信号推定構成要素52をさらに含み得る。
【００２６】
レートマッチング構成要素42は、アップリンクフレームにおける送信のために各トラフィックチャネルまたはサブフローに割り当てられたいくつかのデータビットを調整するためのハードウェアまたは手段を含み得る。さらに、一態様では、レートマッチング構成要素42は、いくつかのデータビットを調整するためのファームウェアまたはソフトウェアを実行するプロセッサを含み得る、またはそれによって実行可能であり得る。一態様では、レートマッチング構成要素42は、1つまたは複数のトランスポートチャネルを受信し得る。たとえば、AMR音声コーデックを使用するとき、レートマッチング構成要素42は、3つの音声トランスポートチャネルまたはサブフローを受信し得る。音声トランスポートチャネルは、連結され、巡回冗長検査(CRC)が提供され得る。レートマッチング構成要素42は、すべてのフレームのために存在し得るわけではないシグナリング無線ベアラ(SRB)サブフローも受信し得る。レートマッチング構成要素42は、符号化されたトランスポートチャネルのビットがトランスポートブロックサイズに一致するように、コーディングレートを調整し得る。たとえば、コーディングは、符号化されたトランスポートチャネルのビット数が、トランスポートブロックサイズ以下であるように調整され得る。トランスポートブロックサイズは、無線フレーム内の送信ギャップの存在に基づいて変わり得る。たとえば、無線フレームが送信ギャップを含むとき、トランスポートブロックサイズは低減され得るので、コーディングレートは増加し得る。トランスポートチャネルのビット数が一定ではないので、レートマッチング構成要素42が擬似フレキシブルレートマッチングを実行すると言われ得る。
【００２７】
送信ギャップ構成要素44は、アップリンク送信での圧縮間隔の間の1組のギャップスロットを使用する圧縮モード送信ギャップを含むようにアップリンクDPCHを構成するためのハードウェアまたは手段を含み得る。さらに、一態様では、送信ギャップ構成要素44は、アップリンクDPCHを構成するためのファームウェアまたはソフトウェアを実行するプロセッサを含み得る、またはそれによって実行可能であり得る。送信ギャップ構成要素44は、上位レイヤ(たとえばRRC構成要素32)からCM構成を受信し得る。送信ギャップ構成要素44は、どのスロットが送信ギャップに使用されるべきかを決定し得る。たとえば、送信ギャップ構成要素44は、送信ギャップがいつ開始するかを決定するために、TGPSをTGSNに適用し得る。送信ギャップ構成要素44は、送信ギャップの終わりを決定するためにもTGLを使用し得る。一態様では、CM構成は、たとえば、20msの圧縮間隔において許容される14のスロットを有する送信ギャップのためにフレーム当たり最高7つのスロットを使用できるようにするように制約され得る。CM構成は、たとえば、連続的な圧縮間隔(40ms)において最高15のスロットを送信ギャップのために使用できるようにさらに制約され得る。CM構成に対するそのような制限は、たとえば、DPCH上で運ばれる音声パケットが正常に復号され得るように、DPCHの過剰なパンクチャリングを防ぎ得る。
【００２８】
スロットマッピング構成要素46は、送信を圧縮間隔における1組のマッピングされたスロットにマッピングするためのハードウェアまたは手段を含み得る。さらに、一態様では、スロットマッピング構成要素46は、送信を圧縮間隔における1組のマッピングされたスロットにマッピングするためのファームウェアまたはソフトウェアを実行するプロセッサを含み得る、またはそれによって実行可能であり得る。アップリンクにおいて、スロットマッピング構成要素46は、マッピングされたスロットが、送信ギャップ構成要素44によって構成される送信ギャップのために使用される任意のスロットを除くように、送信をスロットにマッピングし得る。送信のマッピングは、送信TTIと同様に送信ギャップがどこにあるかに依存し得る。10msのTTI送信モードでは、送信は、15のスロットを使用し得る。送信ギャップが圧縮間隔の第1のフレームに重なる場合、送信の第1の部分は、送信ギャップの前のスロットにマッピングされ、送信の第2の部分は、送信ギャップの後のスロットにマッピングされ得る。送信ギャップの後のスロットは、第1のフレームおよび/または第2のフレームにあり得る。一般に、10msのTTIでの送信は、任意の送信ギャップを除く圧縮間隔の最初の15のスロットにマッピングされ得る。20msのTTIモードでは、スロットマッピング構成要素46は、TFCIフィールドを含むスロットを、送信ギャップを除くスロットにマッピングし得る。たとえば、TFCIフィールドを含むスロットは、送信ギャップを除く最初の10のスロットにマッピングされ得る。一態様では、TFCIフィールド幅は、構成されたスロットフォーマットに応じて変わり得、したがって、TFCIフィールドを含むスロットの数は、TFCIビットのすべて(TFCIサイズ/TFCIフィールド幅)を送信するのに必要な数であり得る。20msのTTIモードでは、DPDCHビットは、送信ギャップにおけるスロットにマッピングされ得、送信されない場合ある。しかしながら、送信ギャップを除くために、TFCIビットおよびACK/NAKビットを含むDCCHビットは、マッピングされ得る。トランスポートブロックは、依然として、送信されるスロットにおいて受信されたTFCIに基づいて復号され得る。
【００２９】
ダウンリンクDPCHでは、圧縮間隔が、アップリンクTTIモードに関係なく送信ギャップを含むとき、20msのTTIが使用され得る。ダウンリンクDPCH送信は、送信ギャップを含む圧縮間隔におけるすべてのスロットにマッピングされ得る。スロットマッピング構成要素46は、送信ギャップの間に行われるパンクチャされた1組のスロットを決定し得る。スロットマッピング構成要素46は、パンクチャされない1組の残りのスロットも決定し得る。圧縮間隔が送信ギャップを含まないとき、10msまたは20msのTTIが使用され得る。TTIは、アップリンクTTIモードと同じとすることができる。
【００３０】
デコーダ48は、受信信号を復号するためのハードウェアまたは手段を含み得る。さらに、一態様では、デコーダ48は、受信信号を復号するためのファームウェアまたはソフトウェアを実行するプロセッサを含み得る、またはそれによって実行可能であり得る。デコーダ48は、ダウンリンクDPCHを復号し得る。一態様では、デコーダ48は、フレーム早期終了(FET: frame early termination)構成要素50をさらに含み得る。FET構成要素50は、ダウンリンク送信が正常に復号されたかどうかを決定するためのハードウェアまたは手段を含み得る。たとえば、FET構成要素50は、デコーダハードウェアで実施され得る。さらに、一態様では、FET構成要素50は、ダウンリンク送信が正常に復号されたかどうかを判断するためのファームウェアまたはソフトウェアを実行するプロセッサを含み得る、またはそれによって実行可能であり得る。FET構成要素50は、ダウンリンク送信の早期の復号を試みるように構成され得る。基本構成と呼ばれ得る第1の態様では、ダウンリンク送信は、SRB/DCCHが存在しない限り、10ms後に復号するように構成され得、受信機36は、第2のフレームのためにオフにされ得る。SRB/DCCHが存在する場合、20msの圧縮間隔全体の間に、ダウンリンク送信が受信され得る。また、ダウンリンクDPCHがCM送信ギャップを含むとき、ダウンリンク送信は、20msの圧縮間隔全体にマッピングされ得る。完全な構成と呼ばれ得る第2の態様では、TFCIビットのすべてが受信されると、早期の復号が開始し得る。たとえば、TFCIビットは、最初の10のスロットにおいて受信され得る。ダウンリンク送信は、復号され得、CRCは、成功を決定するためにチェックされ得る。FET構成要素50は、たとえば、復号が成功するまで、1msまたは2msごとに複数の復号の試行を使用し得る。FET構成要素50は、早期の復号が成功したかどうかを示す肯定応答(ACK)または否定応答(NAK)を生成し得る。圧縮モードでは、ACK/NAKは、TFCIビットが送信された後、各スロットにおけるアップリンクDPCHのTFCIフィールドを使用し得る。たとえば、10msのTTIモードでは、ACK/NAKは、送信ギャップを除く最初の15のスロットの後、開始し得る。別の例として、20msのTTIモードでは、送信ギャップにおけるスロットは、パンクチャされ得るが、ダウンリンクDPCHは、依然として、残りのスロットに基づいて早期に復号され得る。ネットワークエンティティ14は、ACK指示が受信されたとき、ダウンリンクDPCHを送信するのを停止し得る。したがって、ダウンリンクDPCHが必ずしも全TTIの間に送信されるとは限らない。一態様では、成功した復号を示し、偽陽性のACKが受信される可能性を低減するために、2つのACKが送信され得るように、ACK/NACKは、対にされ得る。また、UE12は、ACKが送信され、トランスポートブロックがDPDCH上にないとき、アップリンクDPCHを早期にゲート制御し得る。
【００３１】
信号推定構成要素52は、送信ギャップの間、SIRを推定するためのハードウェアまたは手段を含み得る。さらに、一態様では、信号推定構成要素52は、送信ギャップの間のSIRを推定するためのファームウェアまたはソフトウェアを実行するプロセッサを含み得る、またはそれによって実行可能であり得る。一態様では、ダウンリンクDPCHは、各スロットがパイロット信号を有しておらず、TPCコマンドがスロットの終わりにあるパイロットフリー圧縮モードスロットフォーマットを使用し得る。圧縮フレームにおいて、送信ギャップの最後のスロットは、たとえば0など、固定値を有するTPCコマンドを含み得る。受信機36は、送信ギャップの長さを著しく低減することなくTPCコマンドを受信することが可能であり得る。たとえば、受信機36は、送信ギャップの間、別の周波数において測定を実行した後、TPCコマンドを受信し得る。信号推定構成要素52は、TPCコマンドおよび受信されたTPCコマンドの固定値に基づいてSIRを推定し得る。SIRは、たとえば、SIRターゲットに基づいてダウンリンク外側ループ電力制御のために使用され得る。一態様では、送信ギャップはDPCHビットをパンクチャし得るので、SIRターゲットは、送信ギャップを含むTTIのために増加され得る。たとえば、SIRターゲットは、送信ギャップを含むTTIのために3デシベル(dB)増加され得る。SIRターゲットは、10msのTTIモードでの送信のためにも3dB増加され得る。一態様では、信号推定構成要素52は、UE12で内側ループ電力制御のために使用されるための固定値を有するTPCコマンドを防ぎ得る。別の態様では、送信ギャップの最後のスロットにおけるTPCコマンドは、有効なTPCコマンドであり得る。信号推定構成要素52は、たとえば、スロット番号または受信されたSRB/DCCHに基づいて、アップリンク送信電力制御のためにTPCを使用するかどうかを決定し得る。
【００３２】
圧縮モード構成要素60は、ネットワークエンティティ14において、圧縮モード構成要素40のピアエンティティであり得る。圧縮モード構成要素60は、たとえば、UE側構成に対応するノードB側圧縮モード構成を実施するためのハードウェアまたは手段を含み得る。言い換えれば、圧縮モード構成要素60は、UE12によって送信されるアップリンクDPCHを受信し、ダウンリンクDPCHをUE12に送信するように構成され得る。一態様では、ネットワークエンティティ14は、レートマッチング構成要素62、送信ギャップ構成要素64、スロットマッピング構成要素66、およびFET構成要素68を含み得る。
【００３３】
一態様では、レートマッチング構成要素62は、レートマッチング構成要素42と同様であってよい。レートマッチング構成要素62は、1つまたは複数のダウンリンクフレームにおける送信のために各トラフィックチャネルまたはサブフローに割り当てられたいくつかのデータビットを調整するためのハードウェアまたは手段を含み得る。レートマッチング構成要素62は、ダウンリンクフレームが送信ギャップを含むように構成されるかどうかに部分的に基づいて、ダウンリンクトランスポートチャネルにおいて擬似フレキシブルレートマッチングを実行し得る。レートマッチング構成要素62は、ダウンリンクフレームまたはダウンリンク圧縮間隔が送信ギャップを含むとき、有効なコーディングレートを決定し得る。さらに、レートマッチング構成要素62は、DCCHおよび/または有効なコーディングレート上で運ばれるSRBサブフローの存在に基づいて、DPCH送信電力を調整し得る。SRBが存在するとき、電力は、構成可能な電力オフセット(PO2')だけ増加され得る。さらに、DPDCHビットがパンクチャされ得、有効なコーディングレートが低下したので、以下で説明するように、送信電力も、圧縮モードフレームのためにブーストされ得る。一態様では、電力オフセットは、DPCH(たとえば専用物理データチャネル(DPDCH)または専用物理制御チャネル(DPCCH))のフィールド、または両方のフィールドに適用され得る。たとえば、有効なコーディングレートが、たとえば2/3など、しきい値を超えるとき、送信電力はブーストされ得る。DCCHなしの圧縮モードであるとき、電力は、構成可能な電力オフセット(PO2cm)だけ増加され得る。たとえば、DPDCHフィールドにおけるビットは、PO2cmだけ増加され得る。DCCHありの圧縮モードであるとき、電力は、構成可能な電力オフセット(PO2cm')だけ増加され得る。たとえば、DPDCHおよび/またはDPCCHフィールドにおけるビットは、PO2cm'だけ増加され得る。電力オフセットは、0.25dBずつ-6デシベル(dB)〜6dBの範囲を有し得る。電力オフセットは、DPCHが適切な基準を満たすときに使用するために上位レイヤでUEにシグナリングされ得る。
【００３４】
送信ギャップ構成要素64は、圧縮モード構成要素40における送信ギャップ構成要素44と同様であってよい。送信ギャップ構成要素64は、ダウンリンク送信での圧縮間隔の間の1組のギャップスロットを使用する圧縮モード送信ギャップを含むようにダウンリンクDPCHを構成するためのハードウェアまたは手段を含み得る。さらに、送信ギャップ構成要素64は、アップリンクDPCH送信において使用されるギャップスロットを決定し得る。
【００３５】
スロットマッピング構成要素66は、スロットマッピング構成要素46に対応し得る。スロットマッピング構成要素66は、アップリンク送信を圧縮間隔における1組のマッピングされたスロットにマッピングするためのハードウェアまたは手段を含み得る。次いで、スロットマッピング構成要素66は、UE12によって送信される受信されたDPCHスロットを正しく解釈し得る。たとえば、スロットマッピング構成要素66は、DPCHスロットにおいて受信されたTFCIビットを識別し得る。ダウンリンクにおいて、スロットマッピング構成要素66は、送信モードおよび圧縮モードに基づいてダウンリンクDPCHをマッピングし得る。10msのTTIモードでは、スロットマッピング構成要素66は、ダウンリンクDPCHを、通常の送信のために、圧縮間隔の最初の15のスロット(10ms)にマッピングし得る。20msのTTIモードでは、スロットマッピング構成要素66は、ダウンリンクDPCHを、通常の送信のために、圧縮間隔の30のすべてのスロット(20ms)にマッピングし得る。圧縮間隔が送信ギャップを含むとき、スロットマッピング構成要素66は、TTIモードに関係なく、ダウンリンクDPCHを圧縮間隔の30のすべてのスロット(20ms)にマッピングし得る。さらに、スロットマッピング構成要素66がダウンリンクDPCHをすべてのスロットにマッピングするので、送信ギャップの間のスロットは、パンクチャされ得る(たとえば、送信されない、または低減された電力もしくはゼロ電力で送信される)。
【００３６】
ダウンリンク上で、基本構成では、ダウンリンク送信は、SRB/DCCHが存在しない限り、10msの後に復号するように構成され得る。一態様では、圧縮モード構成は、第2の10msのフレームの間に送信ギャップのみがスケジュールされるように制約され得る。SRB/DCCHが存在する場合、または圧縮間隔が送信ギャップを含む場合、20msの圧縮間隔全体の間に、ダウンリンク送信が送信され得る。増加した送信電力(たとえば3dBだけ増加する)は、ダウンリンク送信を送信するために使用され得る。増加した送信電力は、送信ギャップの外部の1組の残りのスロットに基づいてダウンリンク送信の復号を可能にし得る。
【００３７】
スロットマッピング構成要素66は、スロットの終わりにデータ部分およびTPCコマンドを含むパイロットフリースロットフォーマットを使用し得る。スロットマッピング構成要素66は、固定値を有する特別なTPCコマンドを、UE12が外側ループ電力制御のために使用する送信ギャップの最後のスロットにマッピングし得る。以下のTable 1(表1)は、例示的なスロットフォーマットを列挙する。スロットフォーマット17Aおよび18Aは、拡散率(SF)の低減のない圧縮モードのために使用され得るパイロットフリースロットフォーマットであり得る。
【００３８】
【表１】
0006499196.tif 000002
【００３９】
FET構成要素68は、圧縮モード構成要素40におけるFET構成要素50に対応し得る。FET構成要素68は、ダウンリンク送信が正常に復号されたかどうかを決定するためのハードウェアまたは手段を含み得る。FET構成要素68は、UE12がACKを送信したかどうかを決定するために、アップリンクDPCCHを復号し得る。一態様では、FET構成要素68は、ダウンリンク送信が正常に受信されたことを決定するために、対のACK信号を要求し得る。FET構成要素68がACKを検出すると、FET構成要素68は、ダウンリンクDPCHをDTXし得る。
【００４０】
図2を参照すると、動作態様において、UE12(図1)などのUEは、ワイヤレス通信のための圧縮モード動作の方法200の一態様を実行することができる。説明を簡単にするために、方法は一連の動作として図示および記載されているが、いくつかの動作は、1つまたは複数の態様に従って、本明細書で図示および記載された順序とは異なる順序で、および/または他の動作と同時に発生し得るので、方法(およびそれに関係するさらなる方法)は動作の順序によって限定されないことを理解および諒解されたい。たとえば、方法は、代わりに、状態図などにおいて、一連の相互に関係する状態またはイベントとして表され得ることを諒解されたい。さらに、本明細書で説明する1つまたは複数の特徴に従って方法を実装するために、図示したすべての動作が必要とされ得るわけではない。
【００４１】
ブロック202で、方法200は、第1の圧縮間隔の間、あるスロットフォーマットおよびある拡散率を有するダウンリンク専用物理チャネル(DPCH)を受信するステップを含み得、ダウンリンクDPCHは、第1の圧縮間隔の間、圧縮モード送信ギャップを含まない。一態様では、たとえば、受信機36は、第1の圧縮間隔の間、あるスロットフォーマットおよびある拡散率を有するダウンリンクDPCHを受信し得る。送信ギャップ構成要素44は、第1の圧縮間隔が送信ギャップを含まないことを示し得る。
【００４２】
ブロック204で、方法200は、第2の圧縮間隔の間、同じスロットフォーマットおよび同じ拡散率を有するダウンリンクDPCHを受信するステップを含み得る。一態様では、たとえば、受信機36は、第2の圧縮間隔の間、同じスロットフォーマットおよび同じ拡散率を有するダウンリンクDPCHを受信し得る。
【００４３】
ブロック206で、方法200は、ダウンリンクDPCHが、第2の圧縮間隔の間、圧縮モード送信ギャップを含むことを決定するステップも含み得、送信ギャップの間のダウンリンクDPCHの1組のスロットがパンクチャされる。一態様では、たとえば、送信ギャップ構成要素44は、ダウンリンクDPCHが、第2の圧縮間隔の間、圧縮モード送信ギャップを含むことを決定し得、送信ギャップの間のダウンリンクDPCHの1組のスロットがパンクチャされる。たとえば、送信ギャップ構成要素44は、送信ギャップを提供するためにパンクチャされる第2の圧縮間隔の間の1組のスロットを決定し得る。送信ギャップの間、受信機36は、たとえば、測定を実行するために、別の周波数に同調され得る。そして、受信機36は、パンクチャされたスロットの間、ダウンリンクDPCHを受信しない可能性がある。
【００４４】
ブロック208で、方法200は、第2の圧縮間隔の間に受信された1組の残りのスロットに基づいて、第2の圧縮間隔のダウンリンクDPCHを復号するステップを含み得る。一態様では、たとえば、デコーダ48は、第2の圧縮間隔の間に受信された1組の残りのスロットに基づいて、第2の圧縮間隔のダウンリンクDPCHを復号し得る。一態様では、たとえば、スロットマッピング構成要素46は、送信ギャップに基づいて1組の残りのスロットを決定し得る。1組の残りのスロットは、たとえば、送信ギャップにない任意のスロットなど、パンクチャされないスロットを含み得る。一態様では、デコーダ48は、1組の残りのスロットのサブセットに基づいて、ダウンリンクDPCHを復号し得る。たとえば、デコーダ48は、受信される第1の数の残りのスロットに基づいて早期に(たとえば圧縮間隔の終わる前に)ダウンリンクDPCHを正常に復号することが可能であり得る。復号が不成功である場合、デコーダ48は、残りのスロットが受信されるにつれて、追加の残りのスロットを使用して復号を試行し得る。
【００４５】
ブロック210で、方法200は、第2の圧縮間隔の間に受信されたダウンリンクDPCHに基づいてダウンリンクSIRを推定するステップを随意に含み得る。一態様では、たとえば、信号推定構成要素52は、第2の圧縮間隔の間に受信されたダウンリンクDPCHに基づいてダウンリンクSIRを推定し得る。信号推定構成要素52は、SIRを推定するために、受信信号の異なる部分の測定値を取得し得る。一態様では、ダウンリンクDPCHがパイロットフリースロットフォーマットを使用する場合、SIRの推定は、固定値を有するダウンリンクTPCコマンドに基づき得る。たとえば、送信ギャップの最後のスロットは、SIRを正確に推定するために使用され得る固定値を有するTPCコマンドを含み得る。
【００４６】
ブロック212で、方法200は、推定されたダウンリンクSIRを調整されたSIRターゲットと比較するステップを随意に含み得、調整されたSIRターゲットは、第2の圧縮間隔が圧縮モード送信ギャップを含むことの決定に基づいて増加される。一態様では、たとえば、信号推定構成要素52は、推定されたダウンリンクSIRと調整されたSIRターゲットとを比較し得る。一態様では、調整されたSIRターゲット、または調整されたSIRターゲットを定義するパラメータは、無線リソース制御構成要素32によって提供され得る。
【００４７】
ブロック214で、方法200は、推定されたダウンリンクSIRが調整されたSIRターゲットを満たすかどうかに基づいてアップリンクTPCコマンドを生成するステップを随意に含み得る。一態様では、たとえば、送信機34は、アップリンクTPCコマンドを生成し得る。アップリンクTPCコマンドは、ダウンリンクDPCHの送信電力を制御するためのネットワークエンティティによる使用のためにアップリンク制御チャネル上で送信され得る。たとえば、推定されたダウンリンクSIRが調整されたSIRターゲット未満であるとき、送信機34は、ダウンリンクDPCHの送信電力を増加させるためのUP TPCコマンドを生成し得る。推定されたダウンリンクSIRが調整されたSIRターゲットより大きいとき、送信機34は、ダウンリンクDPCHの送信電力を低減するためのDOWN TPCコマンドを生成し得る。
【００４８】
図3を参照すると、動作態様において、ネットワークエンティティ14(図1)などのネットワークエンティティは、ワイヤレス通信において圧縮モード送信ギャップを提供する方法300の一態様を実行し得る。説明を簡単にするために、方法は一連の動作として図示および記載されているが、いくつかの動作は、1つまたは複数の態様に従って、本明細書で図示および記載された順序とは異なる順序で、および/または他の動作と同時に発生し得るので、方法(およびそれに関係するさらなる方法)は動作の順序によって限定されないことを理解および諒解されたい。たとえば、方法は、代わりに、状態図などにおいて、一連の相互に関係する状態またはイベントとして表され得ることを諒解されたい。さらに、本明細書で説明する1つまたは複数の特徴に従って方法を実装するために、図示したすべての動作が必要とされ得るわけではない。
【００４９】
ブロック302において、方法300は、圧縮モードパラメータを決定するステップを随意に含み得る。一態様では、たとえば、圧縮モード構成要素60は、圧縮モードパラメータを決定し得る。一態様では、圧縮モードパラメータは、ネットワーク18またはRNC16から受信され得る。圧縮モードパラメータは、ダウンリンクDPCHの過剰なパンクチャリングを回避するように選択され得る。たとえば、圧縮モードパラメータは、圧縮間隔が圧縮モード送信ギャップを含むときでさえ、既知の音声コーデックを使用している音声パケットを特定の有効なコーディングレートで送信できるように選択され得る。一態様では、たとえば、圧縮モードパラメータは、2つの連続する圧縮間隔における送信ギャップにおけるスロットの総数が15以下であるように選択され得る。
【００５０】
ブロック304で、方法300は、第1の圧縮間隔の間、あるスロットフォーマットおよびある拡散率を有するダウンリンクDPCHを送信するステップを含み得、DPCHは、第1の圧縮間隔の間、圧縮モード送信ギャップを含まない。一態様では、たとえば、送信機72は、第1の圧縮間隔の間、あるスロットフォーマットおよびある拡散率を有するダウンリンクDPCHを送信し得る。スロットマッピング構成要素66は、スロットフォーマットを決定し得る。送信ギャップ構成要素64は、圧縮間隔が送信ギャップを含まないことを示し得る。
【００５１】
ブロック306で、方法300は、ダウンリンクDPCHが、第2の圧縮間隔の間、圧縮モード送信ギャップを含むことを決定するステップを含み得る。一態様では、たとえば、送信ギャップ構成要素64は、ダウンリンクDPCHが、第2の圧縮間隔の間、圧縮モード送信ギャップを含むことを決定し得る。たとえば、送信ギャップ構成要素64は、構成された圧縮モードパラメータに基づいて送信ギャップの位置を決定し得る。
【００５２】
ブロック308において、方法300は、圧縮モード送信ギャップの間のスロットを除く第2の圧縮間隔のあらゆるスロットの間の第1の圧縮間隔と同じスロットフォーマットおよび同じ拡散率を使用してダウンリンクDPCHを送信するステップを含み得る。一態様では、たとえば、送信機72は、圧縮モード送信ギャップの間のスロットを除く第2の圧縮間隔のあらゆるスロットの間の第1の圧縮間隔と同じスロットフォーマットおよび同じ拡散率を使用してダウンリンクDPCHを送信し得る。たとえば、ダウンリンクDPCHは、20msのTTIを使用して送信され得る。一態様では、送信することは、送信ギャップの間、スロットをパンクチャすることを含み得る。たとえば、送信機72は、送信を停止する、不連続送信を使用する、または、送信ギャップの間、低減した電力またはゼロ電力でダウンリンクDPCHを送信し得る。一態様では、FET構成要素68がアップリンクDPCH上でFET ACKを受信する場合、ダウンリンクDPCH送信は早期に停止され得る。一態様では、同じスロットフォーマットおよび同じ拡散率を使用することによって、ネットワークエンティティ14は、たとえばOVSFコードなどの無線リソースを節約し得る。一態様では、ダウンリンクDPCHは、圧縮間隔が送信ギャップを含むとき、ブーストされた電力で送信され得る。たとえば、送信ギャップを含む20msのTTIのために使用される送信電力は、10msのTTIのために使用される送信電力と同じでもよい。送信電力は、ダウンリンクDPCHの有効なコーディングレートに基づいてさらにブーストされ得る。たとえば、有効なコーディングレートがしきい値(たとえば2/3)を超える場合、送信電力がブーストされ得る。
【００５３】
図4を参照すると、動作態様において、UE12(図1)などのUEは、ワイヤレス通信のための圧縮モード動作の方法400の一態様を実行することができる。説明を簡単にするために、方法は一連の動作として図示および記載されているが、いくつかの動作は、1つまたは複数の態様に従って、本明細書で図示および記載された順序とは異なる順序で、および/または他の動作と同時に発生し得るので、方法(およびそれに関係するさらなる方法)は動作の順序によって限定されないことを理解および諒解されたい。たとえば、方法は、代わりに、状態図などにおいて、一連の相互に関係する状態またはイベントとして表され得ることを諒解されたい。さらに、本明細書で説明する1つまたは複数の特徴に従って方法を実装するために、図示したすべての動作が必要とされ得るわけではない。
【００５４】
ブロック402において、方法400は、UE12がDCHの拡張を伴う圧縮モード動作をサポートする旨の能力表示を送信するステップを随意に含み得る。一態様では、たとえば、RRC構成要素32は、UE12が送信機34を介してDCHの拡張を伴う圧縮モード動作をサポートする旨の能力表示を送信し得る。たとえば、表示は、UE能力情報メッセージにおけるビット、フラグ、または情報要素の値であり得る。RRC構成要素32は、たとえば、圧縮モード構成要素40の存在および構成に基づいて、UE12の能力を決定し得る。
【００５５】
ブロック404で、方法400は、アップリンク送信での圧縮間隔の間の1組のギャップスロットを使用する圧縮モード送信ギャップを含むようにアップリンクDPCHを構成するステップを含み得る。一態様では、たとえば、送信ギャップ構成要素44(図1)は、アップリンク送信での圧縮間隔の間の1組のギャップスロットを使用する圧縮モード送信ギャップを含むようにアップリンクDPCHを構成し得る。送信ギャップ構成は、RRC構成要素32(図1)によってネットワーク18から受信された圧縮モード構成に基づき得る。一態様では、圧縮間隔は、最初の10msの無線フレームおよび第2の10msの無線フレームを含む20msの間隔であり得る。各無線フレームは、15のスロットを含み得る。
【００５６】
ブロック406で、方法400は、アップリンク送信を圧縮間隔における1組のマッピングされたスロットにマッピングするステップを含み得、1組のマッピングされたスロットは、1組のギャップスロットを除く。一態様では、たとえば、スロットマッピング構成要素46(図1)は、アップリンク送信を、圧縮間隔における1組のマッピングされたスロットにマッピングし得る。一態様では、マッピングは、1組のギャップスロットの前のマッピングされたスロットの第1のサブセットにおけるアップリンク送信の第1の部分、および1組のギャップスロットの後のマッピングされたスロットの第2のサブセットにおけるアップリンク送信の第2の部分をスケジュールすることを含み得る。一態様では、第1の数のマッピングされたスロットは、TFCIフィールドを含み得る。第1の数のスロットの後のスロットは、TFCIフィールドの代わりにACK/NAKフィールドを含み得る。
【００５７】
ブロック408で、方法400は、1組のギャップスロットの間でなく、マッピングされたスロットの間にアップリンク送信を送信するステップを含み得る。一態様では、たとえば、送信機34(図1)は、1組のギャップスロットの間でなく、マッピングされたスロットの間にアップリンク送信を送信し得る。たとえば、送信機は、マッピングされたスロットの間、各マッピングされたスロットにマッピングされたデータを送信し得る。データは、TFCIフィールドまたはACK/NAKフィールドのうちの1つを含み得る。ギャップスロットの間、送信機は、オフにされ得る、または他の目的のために使用され得る。ギャップスロットの間の送信のためにスケジュールされた任意のデータは、空白化され得る、またはゼロ電力で送信され得る。
【００５８】
ブロック410で、方法400は、アップリンク専用物理チャネルのためのトランスポートブロックがないとき、肯定応答の送信後にアップリンク送信をゲート制御するステップを随意に含み得る。一態様では、たとえば、FET構成要素50(図1)は、アップリンク専用物理チャネルのためのトランスポートブロックがないとき、肯定応答の送信後にアップリンク送信をゲート制御し得る。たとえば、FET構成要素50は、ACKが送信されたこと、およびアップリンクにおいて送信すべきデータがないこと、またはアップリングデータが送信されたことを決定し得る。次いで、FET構成要素50は、TTIの残りの部分のために送信機34をオフにし得る。
【００５９】
図5を参照すると、動作態様において、UE12(図1)などのUEは、送信マッピングの方法500の一態様を実行することができる。一態様において、たとえば、方法500は、スロットマッピング構成要素46によって実行され得る。説明を簡単にするために、方法は一連の動作として図示および記載されているが、いくつかの動作は、1つまたは複数の態様に従って、本明細書で図示および記載された順序とは異なる順序で、および/または他の動作と同時に発生し得るので、方法(およびそれに関係するさらなる方法)は動作の順序によって限定されないことを理解および諒解されたい。たとえば、方法は、代わりに、状態図などにおいて、一連の相互に関係する状態またはイベントとして表され得ることを諒解されたい。さらに、本明細書で説明する1つまたは複数の特徴に従って方法を実装するために、図示したすべての動作が必要とされ得るわけではない。
【００６０】
ブロック502で、方法500は、20msの圧縮間隔の間、送信ギャップが必要とされることを決定するステップを含み得る。たとえば、スロットマッピング構成要素46は、どのスロットが送信ギャップのために使用されることになっているかを指示する送信ギャップ構成要素44から送信ギャップ構成を受信し得る。
【００６１】
ブロック504で、方法500は、UE12が10msのTTIモードで動作しているか、20msのTTIモードで動作しているかを決定するステップを含み得る。決定は、アップリンク電力ヘッドルームに基づいて物理レイヤで行われ得る。UE12が10msのTTIモードで動作している場合、アップリンク送信は、20msの圧縮間隔の第1の無線フレームのビットのみを含み得る。ブロック506で、方法500は、送信ギャップが第1の無線フレームに重なるかどうかを決定するステップを含み得る。送信ギャップが第1の無線フレームに重ならない場合、方法500は、ブロック508で、アップリンク送信を第1のフレームにマッピングするステップを含み得る。アップリンク送信は、送信ギャップの前のスロットに完全にマッピングされ得る。
【００６２】
送信ギャップが第1の無線フレームに重なる場合、アップリンク送信の第1の部分は、第1のフレームのスロットにマッピングされ、アップリンク送信の第2の部分は、第2のフレームのスロットにマッピングされ得る。ブロック510で、方法500は、送信ギャップの前の第1のフレームのスロットにアップリンク送信をマッピングするステップを随意に含み得る。たとえば、送信ギャップがスロットNfirstで開始し、スロットNlastまで続く場合、送信の第1の部分は、スロット0〜Nfirstにマッピングされ得る。ブロック512で、方法500は、送信ギャップの後の第1のフレームのスロットに送信の第2の部分をマッピングするステップを随意に含み得る。送信ギャップがフレームの終わる前に終わる場合、たとえば、送信の第2の部分は、スロットNlast+1〜スロット14にマッピングされ得る。ブロック514で、方法500は、送信の第3の部分を第2のフレームのスロットにマッピングするステップを含み得る。たとえば、第3の部分は、第2のフレーム(または、送信ギャップが第2のフレームに重なる場合スロットNlast+1)のスロット0〜第2のフレームのスロット(TGL)にマッピングされ得る。言い換えれば、第3の部分は、第2のフレームにおける送信ギャップ長に等しいいくつかのスロットにマッピングされ得る。
【００６３】
ブロック516で、20msのTTIモードが選択されるとき、方法500は、送信のサイズを低減するために、上位レイヤスケジューリングを使用するステップを含み得る。送信がTGLに等しいいくつかのスロットのパンクチャリングにより復号され得るように、送信のサイズは制限され得る。送信をより少ない数のスロットにマッピングするために、異なるスロットフォーマットによる拡散率の低減も使用され得る。ブロック518で、方法500は、送信ギャップを除くスロットにTFCIビットをマッピングするステップを含み得る。一態様では、送信ギャップを除くスロットにデータ送信をマッピングするために使用されるブロック510、512、および514は、送信ギャップを除くスロットにTFCIビットをマッピングするために使用され得る。
【００６４】
図6は、送信ギャップを有するフレーム構造600の一例を示す。フレーム構造600は、20msのTTIモードでの20msの圧縮間隔602のフレーム構造であり得る。圧縮間隔602は、第1の無線フレーム604および第2の無線フレーム606を含み得る。送信ギャップ608は、図示したように、スロット5〜スロット11からの7つのスロット、またはフレームにおけるより少ない数のスロットでもよい。一態様では、送信ギャップは、各フレームにおける最高7つのスロットを使用する、2つのフレームにわたり得る。送信ギャップ608の間、ダウンリンクDPCHとアップリンクDPCHの両方は、オーバージエアで送信されない可能性があるので、送信ギャップ608の間にスロットに割り当てられる任意のビットは、失われる可能性がある。DL DPCHは、20msの圧縮間隔全体にわたる送信のためにスケジュールされ得る。図示したように、スロット5〜11において送信されるビットは、失われる可能性がある。しかしながら、DL DPCH送信は、依然として残りのスロットから復号され得る。UL DPCHも、20msの圧縮間隔全体にわたる送信のためにスケジュールされ得る。送信ギャップにおけるスロットを除くために、TFCIビットおよびACK/NAKビットを含み得る専用物理制御チャネル(DPCCH)がマッピングされ得る。たとえば、TFCIフィールドは、送信ギャップを除く最初の10のスロットに含まれ得る。図示の例では、TFCIフィールドは、マッピングされたスロット(第1のフレームの0〜4)の第1のサブセット、およびマッピングされたスロットの第2のサブセット(第1のフレーム604の12〜14および第2のフレーム606のスロット0および1)において送信される。
【００６５】
一態様では、FETは、フレーム構造600において実施され得る。TFCIビットが送信された後、フィールドがACK/NAK表示のために使用され得る。たとえば、DL DPCHが第2のフレーム606のスロット8において復号される場合、スロット9および10は、ACK表示を含み得る。ACK表示を受信すると、ネットワークエンティティ14(図1)は、DL DPCHの送信を停止し得る。したがって、たとえば、フレーム12〜14は、送信されない可能性がある。
【００６６】
図7は、送信ギャップ708を有するフレーム構造700の別の例を示す。フレーム構造700は、10msのTTIモードでの20msの圧縮間隔702のフレーム構造であり得る。したがって、フレーム構造700は、UL DPCHが20msの圧縮間隔全体にわたるよりむしろ1つの無線フレームまたは15のスロットにおける送信のためにスケジュールされ得ることを除いて、フレーム構造600と同様であってよい。たとえば、第1のフレーム704のスロット5〜11における送信ギャップ708の間、アップリンク送信は、送信ギャップ708におけるスロットにマッピングされない可能性がある。代わりに、送信の第1の部分は、第1のフレームのスロット1〜4にマッピングされ得、送信の第2の部分は、第1のフレーム704における送信ギャップの後のスロット、および第2のフレーム706におけるスロットにマッピングされ得る。アップリンク送信は、合計N+15のスロットを使用し得、この場合、NはTGL(たとえば7)である。一態様では、アップリンク送信が完了した後、アップリンク送信は、ゲート制御され得る。したがって、TPCコマンドが送信されないので、DL DPCHの内側ループ電力制御は、第2のフレーム706における圧縮間隔702(たとえばスロット7〜14)の残りのために凍結され得る。たとえば、スロット7〜14は、スロット6と同じ電力で送信され得る。
【００６７】
図8は、送信ギャップ808を有するフレーム構造800の第3の例を示す。フレーム構造800は、フレーム構造700と同様であってよい。加えて、フレーム構造800は、FETを提供し得る。一態様では、UL DPCHは、どんなデータも有しておらず、DPCCHを送信するのみであり得る。UL DPCCHは、送信ギャップ808を除くアップリンク送信の最初の10のスロットにおいてTFCIフィールドを含み得る。最初の10のスロットの後、UL DPCCHは、TFCIフィールドの代わりにACK/NAKフィールドを含み得る。たとえば、デコーダ48(またはFET構成要素50)が第2のフレーム8のスロット1においてDL DPCHを復号し、スロット2および3においてACKを送信する場合、UE12は、スロット3の後、アップリンク送信をゲート制御し得る。たとえば、UEは、UL DPCH送信を停止し得る。ネットワークエンティティ14はまた、ACKを受信し、早期にDL DPCH送信を停止し得る。
【００６８】
図9は、圧縮モードのDL DPCHのために使用され得るスロットフォーマット900を示す。送信ギャップは、スロットNfirst〜Nlastにおいて構成され得る。スロットフォーマット900は、パイロットフリースロットフォーマットでもよい。各送信されたスロットは、データ部分902およびTPCコマンド904を含み得る。TPCコマンド904は、内側ループ電力制御に加えてSIR推定のために使用され得る。したがって、各スロット内のパイロット信号は、必要でない場合がある。送信ギャップの間、ネットワークエンティティ14は、データ部分902を送信しない可能性がある。スロットフォーマット900は、送信ギャップ内の特別なTPCコマンド906も含み得る。特別なTPCコマンド906は、固定値を有し得る。たとえば、特別なTPCコマンド906は、0の固定値を有し得る。UE12は、特別なTPCコマンド906に基づいてダウンリンクSIRまたはSINRを推定し得る。
【００６９】
図10は、処理システム1014を採用し、圧縮モード構成要素40を含む装置1000のハードウェア実装形態の例を示すブロック図である。この例において、処理システム1014は、バス1002によって全体的に表されるバスアーキテクチャとともに実装され得る。バス1002は、処理システム1014の特定の用途および全体的な設計制約に応じて、任意の数の相互接続するバスおよびブリッジを含む場合がある。バス1002は、圧縮モード構成要素40と、プロセッサ1004によって全体的に表される1つまたは複数のプロセッサと、コンピュータ可読媒体1006によって全体的に表されるコンピュータ可読媒体とを含む様々な回路を互いにリンクする。バス1002は、タイミングソース、周辺機器、電圧レギュレータ、および電力管理回路などの様々な他の回路をつなぐこともできるが、これらの回路は当技術分野でよく知られており、したがって、これ以上は説明されない。バスインターフェース1008は、バス1002と送受信機1010との間のインターフェースを与える。送受信機1010は、送信媒体を通じて様々な他の装置と通信するための手段を提供する。装置の性質に応じて、ユーザインターフェース1012(たとえば、キーパッド、ディスプレイ、スピーカー、マイクロフォン、ジョイスティック)も設けられ得る。
【００７０】
プロセッサ1004は、バス1002の管理と、コンピュータ可読媒体1006上に記憶されたソフトウェアの実行を含む一般的な処理とを担当する。ソフトウェアは、プロセッサ1004によって実行されたとき、任意の特定の装置用の以下で説明する様々な機能を処理システム1014に実行させる。コンピュータ可読媒体1006は、ソフトウェアを実行するときにプロセッサ1004によって操作されるデータを記憶するためにも使用され得る。一態様では、圧縮モード構成要素40は、プロセッサ1004、コンピュータ可読媒体1006、またはそれらの組合せによって実施され得る。たとえば、コンピュータ可読媒体1006は、本明細書で説明するように、圧縮モードギャップを提供するために、プロセッサ1004によって実行可能な命令を記憶し得る。
【００７１】
本開示全体にわたって提示される様々な概念は、幅広い種類の電気通信システム、ネットワークアーキテクチャ、および通信規格にわたって実装され得る。限定はされないが例として、図11に示される本開示の態様は、WCDMA(登録商標)エアインターフェースを採用するUMTSシステム1100を参照して提示される。UMTSネットワークは、コアネットワーク(CN)1104、UMTS地上無線アクセスネットワーク(UTRAN)1102、およびユーザ機器(UE)1110の3つの相互作用する領域を含む。UE1110は、UE12(図1)の一例であり得、圧縮モード送信ギャップを提供するための圧縮モード構成要素40を含み得る。この例では、UTRAN1102は、電話、ビデオ、データ、メッセージング、放送、および/または他のサービスを含む様々なワイヤレスサービスを提供する。UTRAN1102は、無線ネットワークコントローラ(RNC)1106などのそれぞれのRNCによって各々が制御される、無線ネットワークサブシステム(RNS)1107などの複数のRNSを含み得る。さらに、RNS1107は、各々ネットワークエンティティ14(図1)の例であり得、圧縮モード構成要素60を含み得る1つまたは複数のノードB1108を含み得る。ここで、UTRAN1102は、本明細書で示されるRNC1106およびRNS1107に加えて、任意の数のRNC1106およびRNS1107を含み得る。RNC1106は、とりわけ、RNS1107内で無線リソースを割り当て、再構成し、かつ解放することを担う装置である。RNC1106は、任意の適切なトランスポートネットワークを使用する、直接の物理接続、仮想ネットワークなどのような様々なタイプのインターフェースを通じて、UTRAN1102中の他のRNC(図示されず)に相互接続され得る。
【００７２】
UE1110とノードB1108との間の通信は、物理(PHY)層と媒体アクセス制御(MAC)層とを含むものと見なされ得る。さらに、それぞれのノードB1108によるUE1110とRNC1106との間の通信は、RRCレイヤを含むものと見なされ得る。本明細書では、PHYレイヤはレイヤ1と見なされ得、MACレイヤはレイヤ2と見なされ得、RRCレイヤはレイヤ3と見なされ得る。圧縮モード構成要素40および圧縮モード構成要素60は、PHYレイヤで通信し得る。
【００７３】
RNS1107によってカバーされる地理的領域は、いくつかのセルに分割され、無線トランシーバ装置が各セルにサービスすることができる。無線トランシーバ装置は、通常、UMTS用途ではノードBと呼ばれるが、当業者によって、基地局(BS)、トランシーバ基地局(BTS)、無線基地局、無線トランシーバ、トランシーバ機能、基本サービスセット(BSS)、拡張サービスセット(ESS)、アクセスポイント(AP)、または何らかの他の適切な用語で呼ばれる。明快にするために、各RNS1107に3つのノードB1108が示されているが、RNS1107は、任意の数のワイヤレスノードBを含んでもよい。ノードB1108は、ワイヤレスアクセスポイントを任意の数のモバイル装置のためのCN1104に提供する。モバイル装置の例は、携帯電話、スマートフォン、セッション開始プロトコル(SIP)電話、ラップトップ、ノートブック、ネットブック、スマートブック、携帯情報端末(PDA)、衛星ラジオ、全地球測位システム(GPS)デバイス、マルチメディアデバイス、ビデオデバイス、デジタルオーディオプレーヤ(たとえば、MP3プレーヤ)、カメラ、ゲームコンソール、または任意の他の同様の機能デバイスを含む。モバイル装置は、通常、UMTS用途ではUEと呼ばれるが、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、端末、ユーザエージェント、モバイルクライアント、クライアント、または何らかの他の適切な用語で呼ばれることもある。UMTSシステムでは、UE1110は、ネットワークへのユーザの加入情報を含むユニバーサル加入者識別モジュール(USIM)1111をさらに含む場合がある。説明のために、1つのUE1110がいくつかのノードB1108と通信しているように示される。順方向リンクとも呼ばれるDLは、ノードB1108からUE1110への通信リンクを指し、かつ逆方向リンクとも呼ばれるULは、UE1110からノードB1108への通信リンクを指す。
【００７４】
CN1104は、UTRAN1102のような1つまたは複数のアクセスネットワークとインターフェースをとる。示されるように、CN1104は、GSM(登録商標)コアネットワークである。しかしながら、当業者が認識するように、GSM(登録商標)ネットワーク以外のタイプのCNへのアクセスをUEに提供するために、本開示全体にわたって提示される様々な概念は、RANまたは他の適切なアクセスネットワークにおいて実装され得る。
【００７５】
CN1104は、回線交換(CS)ドメインとパケット交換(PS)ドメインとを含む。回線交換要素のいくつかは、モバイルサービス交換センター(MSC)、ビジターロケーションレジスタ(VLR)、およびゲートウェイMSCである。パケット交換要素には、サービングGPRSサポートノード(SGSN)およびゲートウェイGPRSサポートノード(GGSN)が含まれる。EIR、HLR、VLR、およびAuCなどのいくつかのネットワーク要素は、回線交換ドメインとパケット交換ドメインの両方によって共有される場合がある。示される例では、CN1104は、MSC1112およびGMSC1114によって回線交換サービスをサポートする。いくつかの適用例では、GMSC1114は、メディアゲートウェイ(MGW)と呼ばれ得る。RNC1106などの1つまたは複数のRNCが、MSC1112に接続され得る。MSC1112は、呼設定、呼ルーティング、およびUEモビリティ機能を制御する装置である。MSC1112は、UEがMSC1112のカバレッジエリア中にある間に加入者関連の情報を格納するVLRも含む。GMSC1114は、UEが回線交換ネットワーク1116にアクセスするための、MSC1112を通じたゲートウェイを提供する。GMSC1114は、特定のユーザが加入したサービスの詳細を反映するデータなどの加入者データを含む、ホームロケーションレジスタ(HLR)1115を含む。また、HLRは、加入者固有の認証データを含む認証センター(AuC)に関連付けられる。特定のUE向けの呼が受信されると、GMSC1114は、UEの位置を決定するためにHLR1115に問い合わせ、その位置においてサービスする特定のMSCに呼を転送する。
【００７６】
CN1104はまた、サービングGPRSサポートノード(SGSN)1118およびゲートウェイGPRSサポートノード(GGSN)1120によって、パケットデータサービスをサポートする。汎用パケット無線サービスを表すGPRSは、標準の回線交換データサービスによって可能な速度よりも高速なパケットデータサービスを提供するように設計されている。GGSN1120は、パケットベースのネットワーク1122へのUTRAN1102のための接続を提供する。パケットベースのネットワーク1122は、インターネット、プライベートデータネットワーク、またはいくつかの他の適切なパケットベースのネットワークであり得る。GGSN1120の主要な機能は、UE1110にパケットベースのネットワーク接続を提供することである。データパケットは、MSC1112が回線交換領域において実行するのと同じ機能をパケットベース領域において主に実行するSGSN1118を通じて、GGSN1120とUE1110との間で転送され得る。
【００７７】
UMTSのエアインターフェースは、スペクトル拡散直接シーケンス符号分割多元接続(DS-CDMA)システムを利用し得る。スペクトル拡散DS-CDMAは、チップと呼ばれる擬似ランダムビットのシーケンスとの乗算を介してユーザデータを拡散する。UMTSの「広帯域」WCDMA(登録商標)エアインターフェースは、そのような直接シーケンススペクトラム拡散技術に基づいており、加えて周波数分割複信(FDD)を必要とする。FDDは、ノードB1108とUE1110との間のULおよびDLに異なるキャリア周波数を使用する。DS-CDMAを利用し、時分割複信(TDD)を使用するUMTSの別のエアインターフェースは、TD-SCDMAエアインターフェースである。本明細書で説明される様々な例は、WCDMA(登録商標)エアインターフェースを指し得るが、基礎をなす原理はTD-SCDMAエアインターフェースに等しく適用可能であり得ることを当業者は認識するだろう。
【００７８】
HSPAエアインターフェースは、スループットの向上および待ち時間の低減を容易にする、3G/WCDMA(登録商標)エアインターフェースに対する一連の拡張を含む。前のリリースに対する修正の中でもとりわけ、HSPAは、ハイブリッド自動再送要求(HARQ)、チャネル送信の共有、ならびに適応変調およびコーディングを利用する。HSPAを定義する規格は、HSDPA(高速ダウンリンクパケットアクセス)およびHSUPA(拡張アップリンクまたはEULとも呼ばれる高速アップリンクパケットアクセス)を含む。
【００７９】
HSDPAは、そのトランスポートチャネルとして高速ダウンリンク共有チャネル(HS-DSCH)を利用する。HS-DSCHは、高速物理ダウンリンク共有チャネル(HS-PDSCH)、高速共有制御チャネル(HS-SCCH)、および高速専用物理制御チャネル(HS-DPCCH)という、3つの物理チャネルによって実装される。
【００８０】
これらの物理チャネルの中でも、HS-DPCCHは、対応するパケット送信の復号が成功したかどうかを示すために、HARQ ACK/NACKシグナリングをアップリンク上で搬送する。つまり、ダウンリンクに関して、UE1110は、ダウンリンク上のパケットを正常に復号したかどうかを示すために、HS-DPCCHを通じてフィードバックをノードB1108に与える。
【００８１】
HS-DPCCHはさらに、変調方式および符号化方式の選択、ならびにプリコーディングの重みの選択に関して、ノードB1108が正しい決定を行うのを支援するための、UE1110からのフィードバックシグナリングを含み、このフィードバックシグナリングはCQIおよびPCIを含む。
【００８２】
「HSPA Evolved」またはHSPA+は、MIMOおよび64-QAMを含むHSPA規格の進化形であり、スループットの増大およびパフォーマンスの向上を可能にする。つまり、本開示のある態様では、ノードB1108および/またはUE1110は、MIMO技術をサポートする複数のアンテナを有し得る。MIMO技術の使用により、ノードB1108は空間領域を活用して、空間多重化、ビームフォーミング、および送信ダイバーシティをサポートすることが可能になる。
【００８３】
多入力多出力(MIMO)は、マルチアンテナ技術、すなわち複数の送信アンテナ(チャネルへの複数の入力)および複数の受信アンテナ(チャネルからの複数の出力)を指す際に一般に使用される用語である。MIMOシステムは一般にデータ伝送パフォーマンスを高め、ダイバーシティ利得がマルチパスフェージングを低減させて伝送品質を高めること、および空間多重化利得がデータスループットを向上させることを可能にする。
【００８４】
空間多重化は、同じ周波数上で同時にデータの様々なストリームを送信するために使用され得る。データストリームは、データレートを向上させるために単一のUE1110に送信されてよく、または、全体的なシステム容量を増大させるために複数のUE1110に送信されてよい。これは、各データストリームを空間的にプリコーディングし、次いで空間的にプリコーディングされた各ストリームをダウンリンク上で異なる送信アンテナを通じて送信することによって達成される。空間的にプリコーディングされたデータストリームは、様々な空間シグニチャを伴いUE1110に到着し、これによりUE1110の各々は、そのUE1110に向けられた1つまたは複数のデータストリームを回復することが可能になる。アップリンク上では、各UE1110は、1つまたは複数の空間的にプリコーディングされたデータストリームを送信することができ、これによりノードB1108は空間的にプリコーディングされた各データストリームのソースを識別することが可能になる。
【００８５】
空間多重化は、チャネル状態が良好なときに使用され得る。チャネル状態がさほど好ましくないときは、送信エネルギーを1つもしくは複数の方向に集中させるために、またはチャネルの特性に基づいて送信を改善するために、ビームフォーミングが使用され得る。これは、複数のアンテナを介して送信するデータストリームを空間的にプリコーディングすることによって達成され得る。セルの端において良好なカバレージを達成するために、シングルストリームビームフォーミング伝送が送信ダイバーシティと組み合わせて使用され得る。
【００８６】
一般に、n個の送信アンテナを利用するMIMOシステムの場合、同じチャネル化コードを利用して同じキャリアを通じてn個のトランスポートブロックが同時に送信され得る。n個の送信アンテナで送られる異なるトランスポートブロックは、互いに同じまたは異なる変調およびコーディング方式を有し得ることに留意されたい。
【００８７】
一方、単入力多出力(SIMO)は一般に、単一の送信アンテナ(チャネルへの単一の入力)および複数の受信アンテナ(チャネルからの複数の出力)を利用するシステムを指す。したがって、SIMOシステムでは、単一のトランスポートブロックがそれぞれのキャリアを通じて送信される。
【００８８】
図12を参照すると、UTRANアーキテクチャにおけるアクセスネットワーク1200が示されている。アクセスネットワーク1200は、各々が図1のUE12の一例であり、圧縮モード構成要素40を含み得るいくつかのUE1230、1232、1234、1236、1238、1240を含み得る。複数のアクセスワイヤレス通信システムは、セル1202、1204および1206を含む複数のセルラー領域(セル)を含み、その各々が1つまたは複数のセクタを含み、それぞれのノードB1242、1244、1246によって提供され得、その各々は、ネットワークエンティティ14(図1)の一例であり得、圧縮モード構成要素60を含み得る。複数のセクタはアンテナのグループによって形成されてよく、各々のアンテナがセルの一部分にあるUEとの通信を担う。たとえば、セル1202において、アンテナグループ1212、1214、および1216は、各々異なるセクタに対応する場合がある。セル1204内で、アンテナグループ1218、1220、および1222は各々、異なるセクタに対応する。セル1206内で、アンテナグループ1224、1226、および1228は各々、異なるセクタに対応する。セル1202、1204、および1206は、各セル1202、1204、または1206の1つまたは複数のセクタと通信していることがある、いくつかのワイヤレス通信デバイス、たとえば、UEを含み得る。たとえば、UE1230および1232は、ノードB1242と通信していてもよく、UE1234および1236は、ノードB1244と通信していてもよく、UE1238および1240は、ノードB1246と通信していてもよい。ここで、各ノードB1242、1244、1246は、それぞれのセル1202、1204、および1206の中のすべてのUE1230、1232、1234、1236、1238、1240のために、CN1104(図11参照)へのアクセスポイントを提供するように構成される。
【００８９】
UE1234がセル1204における図示された位置からセル1206に移動するとき、サービングセル変更(SCC)またはハンドオーバが生じることがあり、UE1234との通信が、ソースセルと呼ばれ得るセル1204からターゲットセルと呼ばれ得るセル1206に移行する。UE1234において、それぞれのセルに対応するノードBにおいて、無線ネットワークコントローラ1106(図11参照)において、またはワイヤレスネットワークにおける別の適切なノードにおいて、ハンドオーバ手順の管理が行われ得る。たとえば、ソースセル1204との呼の間、または任意の他の時間において、UE1234は、ソースセル1204の様々なパラメータ、ならびに、セル1206および1202などの隣接セルの様々なパラメータを監視することができる。さらに、これらのパラメータの品質に応じて、UE1234は、隣接セルのうちの1つまたは複数との通信を維持し得る。この時間中に、UE1234は、アクティブセット、すなわち、UE1234が同時に接続されるセルのリストを維持し得る(すなわち、ダウンリンク専用物理チャネルDPCHまたはフラクショナルダウンリンク専用物理チャネルF-DPCHをUE1234に現在割り当てているUTRAセルが、アクティブセットを構成し得る)。アクティブセットにおけるセルの各々は、UE1234とのDPCHにおける送信ギャップを提供するための圧縮モード構成要素60を含み得る。
【００９０】
アクセスネットワーク1200によって採用される変調および多元接続方式は、展開されている具体的な電気通信規格に応じて異なり得る。例として、規格には、エボリューションデータオプティマイズド(EV-DO)またはウルトラモバイルブロードバンド(UMB)が含まれ得る。EV-DOおよびUMBは、CDMA2000規格ファミリーの一部として第3世代パートナーシッププロジェクト2(3GPP2)によって公表されたエアインターフェース規格であり、CDMAを利用して移動局にブロードバンドインターネットアクセスを提供する。規格は代替的に、広帯域CDMA(WCDMA(登録商標))およびTD-SCDMAなどのCDMAの他の変形形態を用いるUniversal Terrestrial Radio Access(UTRA)、TDMAを用いるモバイル通信用グローバルシステム(GSM(登録商標))、ならびにOFDMAを用いる発展型UTRA(E-UTRA)、ウルトラモバイルブロードバンド(UMB)、IEEE 802.11(Wi-Fi)、IEEE 802.16(WiMAX)、IEEE 802.20、およびFlash-OFDMであり得る。UTRA、E-UTRA、UMTS、LTE、LTEアドバンスト、およびGSM(登録商標)は、3GPP団体による文書に記述されている。CDMA2000およびUMBについては、3GPP2団体による文書に記載されている。利用される実際のワイヤレス通信規格および多元接続技術は、具体的な適用例およびシステムに課された全体的な設計制約に依存する。
【００９１】
無線プロトコルアーキテクチャは、具体的な適用例に応じて様々な形態を取り得る。ここでWCDMA(登録商標)システムの例が、図13を参照して提示される。
【００９２】
図13を参照すると、例示的な無線プロトコルアーキテクチャ1300は、ユーザ機器(UE)またはノードB/基地局のユーザプレーン1302および制御プレーン1304に関係する。たとえば、アーキテクチャ1300は、UE12(図1)などのUEに含まれ得る。UEおよびノードBの無線プロトコルアーキテクチャ1300は、レイヤ1 1306、レイヤ2 1308、およびレイヤ3 1310という3つの層で示されている。レイヤ1 1306は最も下のレイヤであり、様々な物理レイヤの信号処理機能を実装する。したがって、レイヤ1 1306は、物理レイヤ1307を含む。レイヤ2(L2レイヤ)1308は、物理レイヤ1307の上にあり、物理レイヤ1307を通じたUEとノードBとの間のリンクを担う。レイヤ3(L3レイヤ)1310は、無線リソース制御(RRC)サブレイヤ1315を含む。RRCサブレイヤ1315は、UEとUTRANとの間のレイヤ3の制御プレーンシグナリングを扱う。
【００９３】
一態様では、圧縮モード構成要素40は、物理レイヤ1307に実装され得る。圧縮モードパラメータは、レイヤ3 RRCシグナリングによって構成され得るが、本明細書で説明する他の通信は、物理レイヤ1307でUE12とネットワークエンティティ14の間で行われ得る。したがって、圧縮モード動作の様々な態様は、上位レイヤに透過的であり得る。たとえば、上記で説明したように、アップリンク送信は、送信ギャップを除くために、2つの無線フレームのスロットにマッピングされ得る。RRCレイヤによって構成されるように、送信ギャップが測定に利用可能である限り、上位レイヤは、マッピングされた物理チャネルスロットによって影響を受けない可能性がある。別の態様では、本明細書で説明するFET ACK/NACK手順は、送信の順序を変えず、上位レイヤに透過的であり得る。
【００９４】
ユーザプレーンでは、L2レイヤ1308は、媒体アクセス制御(MAC)サブレイヤ1309、無線リンク制御(RLC)サブレイヤ1311、およびパケットデータコンバージェンスプロトコル(PDCP)サブレイヤ1313を含み、これらはネットワーク側のノードBで終端する。図示されていないが、UEは、ネットワーク側のPDNゲートウェイで終端するネットワークレイヤ(たとえば、IPレイヤ)、および接続の他端(たとえば、遠端のUE、サーバなど)で終端するアプリケーションレイヤを含む、L2レイヤ1308の上のいくつかの上位レイヤを有し得る。
【００９５】
PDCPサブレイヤ1313は、異なる無線ベアラと論理チャネルとの間で多重化を行う。PDCPサブレイヤ1313はまた、無線送信のオーバーヘッドを低減するための上位レイヤデータパケットのヘッダ圧縮、データパケットの暗号化によるセキュリティ、および、ノードB間のUEのハンドオーバのサポートを行う。RLCサブレイヤ1311は、上位レイヤのデータパケットのセグメント化および再構築、失われたデータパケットの再送信、ならびに、ハイブリッド自動再送要求(HARQ)による順序の狂った受信を補償するためのデータパケットの並べ替えを行う。MACサブレイヤ1309は、論理チャネルとトランスポートチャネルとの間で多重化を行う。MACサブレイヤ1309は、1つのセル中の様々な無線リソース(たとえば、リソースブロック)をUEの間で割り振ることも担当する。MACサブレイヤ1309は、HARQ動作も担当する。
【００９６】
図14は、UE1450と通信しているノードB1410のブロック図であり、ノードB1410は図12のノードB1308であってよく、UE1450は図12のUE1210であってよい。ダウンリンク通信において、送信プロセッサ1420が、データソース1412からデータを受信し、コントローラ/プロセッサ1440および/または圧縮モード構成要素60から制御信号を受信することができる。送信プロセッサ1420は、データ信号および制御信号、ならびに基準信号(たとえば、パイロット信号)のための様々な信号処理機能を提供する。たとえば、送信プロセッサ1420は、誤り検出のための巡回冗長検査(CRC)コード、順方向誤り訂正(FEC)を容易にするためのコーディングおよびインターリービング、様々な変調方式(たとえば、二位相偏移変調(BPSK)、四位相偏移変調(QPSK)、M位相偏移変調(M-PSK)、M直交振幅変調(M-QAM)など)に基づいた信号コンスタレーションへのマッピング、直交可変拡散率(OVSF)による拡散、および、一連のシンボルを生成するためのスクランブリングコードとの乗算を提供してもよい。チャネルプロセッサ1444からのチャネル推定値が、送信プロセッサ1420のためのコーディング、変調、拡散、および/またはスクランブル方式を決定するために、コントローラ/プロセッサ1440によって使用される場合がある。これらのチャネル推定は、UE1450によって送信される基準信号から、またはUE1450からのフィードバックから、導出され得る。送信プロセッサ1420によって生成されたシンボルは、フレーム構造を生成するために、送信フレームプロセッサ1430に提供される。送信フレームプロセッサ1430は、コントローラ/プロセッサ1440からの情報でシンボルを多重化することによって、このフレーム構造を作成し、一連のフレームが得られる。一態様では、送信フレームプロセッサ1430は、圧縮モード構成要素60からスロットマッピング情報を受信し得る。次いで、これらのフレームは送信機1432に提供され、送信機1432は、アンテナ1434を通じたワイヤレス媒体によるダウンリンク送信のために、増幅、フィルタリング、およびフレームのキャリア上への変調を含む、様々な信号調整機能を提供する。アンテナ1434は、たとえば、ビームステアリング双方向適応アンテナアレイまたは他の同様のビーム技術を含む、1つもしくは複数のアンテナを含み得る。
【００９７】
UE1450において、受信機1454は、アンテナ1452を通じてダウンリンク送信を受信し、その送信を処理してキャリア上に変調された情報を復元する。受信機1454によって復元された情報は、受信フレームプロセッサ1460に与えられ、受信フレームプロセッサ1460は、各フレームを解析し、フレームからの情報をチャネルプロセッサ1494に与え、データ、制御信号および基準信号を受信プロセッサ1470に与える。受信プロセッサ1470は、次いで、ノードB1410において送信プロセッサ1420によって実施される処理の逆を実施する。より具体的には、受信プロセッサ1470は、シンボルを逆スクランブルおよび逆拡散し、次いで、変調方式に基づいて、ノードB1410によって送信された、最も可能性が高い信号コンスタレーションポイントを決定する。これらの軟判定は、チャネルプロセッサ1494によって計算されるチャネル推定値に基づいている場合がある。次いで、軟判定は、データ、制御信号、および基準信号を復元するために、復号されデインターリーブされる。次いで、フレームの復号に成功したか否かを判断するために、CRCコードが検査される。復号に成功したフレームによって搬送されたデータは、次いで、データシンク1472に提供されることになり、データシンク1472は、UE1450内で動作するアプリケーションおよび/または様々なユーザインターフェース(たとえば、ディスプレイ)を表す。復号に成功したフレームによって搬送される制御信号は、コントローラ/プロセッサ1490に提供される。受信プロセッサ1470によるフレームの復号が失敗すると、コントローラ/プロセッサ1490は、これらのフレームの再送信要求をサポートするために、肯定応答(ACK)プロトコルおよび/または否定応答(NACK)プロトコルを使用する場合もある。一態様では、圧縮モード構成要素40は、送信が正常に復号されるまで、複数の早期の復号の試行を実行するためにチャネルプロセッサ1494を制御し得る。
【００９８】
アップリンクにおいて、データソース1478からのデータ、および、コントローラ/プロセッサ1490からの制御信号が、送信プロセッサ1480に提供される。データソース1478は、UE1450および様々なユーザインターフェース(たとえば、キーボード)において実行されるアプリケーションを表す場合がある。ノードB1410によるダウンリンク送信に関して説明された機能と同様に、送信プロセッサ1480は、CRCコード、FECを容易にするためのコーディングおよびインターリービング、信号コンスタレーションへのマッピング、OVSFによる拡散、ならびに、一連のシンボルを生成するためのスクランブル処理を含む、様々な信号処理機能を提供する。ノードB1410によって送信される基準信号から、または、ノードB1410によって送信されるミッドアンブル中に含まれるフィードバックから、チャネルプロセッサ1494によって導出されるチャネル推定値を用いて、適切なコーディング、変調、拡散、および/またはスクランブル方式を選択することができる。送信プロセッサ1480によって生成されるシンボルは、フレーム構造を作成するために、送信フレームプロセッサ1482に提供される。送信フレームプロセッサ1482は、コントローラ/プロセッサ1490からの情報でシンボルを多重化することによって、このフレーム構造を作成し、一連のフレームが得られる。一態様では、圧縮モード構成要素は、フレーム構造を作成するために、送信フレームプロセッサ1482にスロットマッピング情報を提供し得る。次いで、これらのフレームは送信機1456に与えられ、送信機1456は、アンテナ1452を通じたワイヤレス媒体によるアップリンク送信のために、増幅、フィルタリング、およびキャリア上へのフレームの変調を含む、様々な信号調整機能を提供する。
【００９９】
アップリンク送信は、UE1450において受信機機能に関して説明されたのと同様の方式で、ノードB1410において処理される。受信機1435は、アンテナ1434を通じてアップリンク送信を受信し、送信を処理してキャリア上に変調された情報を復元する。受信機1435によって復元された情報は、受信フレームプロセッサ1436に与えられ、受信フレームプロセッサ1436は、各フレームを解析し、フレームからの情報をチャネルプロセッサ1444に与え、データ、制御信号、および基準信号を受信プロセッサ1438に与える。受信プロセッサ1438は、UE1450中の送信プロセッサ1480によって実行される処理の逆を実行する。復号に成功したフレームによって搬送されたデータおよび制御信号は、次いで、それぞれデータシンク1439およびコントローラ/プロセッサに提供される場合がある。受信プロセッサによるフレームの一部の復号が失敗した場合、コントローラ/プロセッサ1440は、これらのフレームの再送信要求をサポートするために、肯定応答(ACK)プロトコルおよび/または否定応答(NACK)プロトコルを使用する場合もある。
【０１００】
コントローラ/プロセッサ1440および1490は、それぞれノードB1410およびUE1450における動作を指示するために使われ得る。たとえば、コントローラ/プロセッサ1440および1490は、タイミング、周辺機器インターフェース、電圧レギュレーション、電力管理、および他の制御機能を含む、様々な機能を提供する場合がある。メモリ1442および1492のコンピュータ可読媒体は、それぞれ、ノードB1410およびUE1450のためのデータおよびソフトウェアを記憶することができる。ノードB1410におけるスケジューラ/プロセッサ1446は、リソースをUEに割り当て、UEのダウンリンク送信および/またはアップリンク送信をスケジューリングするために、使われ得る。
【０１０１】
電気通信システムのいくつかの態様は、WCDMA(登録商標)システムを参照して提示してきた。当業者が容易に諒解するように、本開示全体にわたって説明する様々な態様は、他の電気通信システム、ネットワークアーキテクチャ、および通信規格に拡張されてもよい。
【０１０２】
例として、様々な態様は、TD-SCDMA、高速ダウンリンクパケットアクセス(HSDPA)、高速アップリンクパケットアクセス(HSUPA)、高速パケットアクセスプラス(HSPA+)およびTD-CDMAなどの他のUMTSシステムに拡張され得る。様々な態様はまた、ロングタームエボリューション(LTE)(FDD、TDD、またはこれら両方のモードの)、LTEアドバンスト(LTE-A)(FDD、TDD、またはこれら両方のモードの)、CDMA2000、エボリューションデータオプティマイズド(EV-DO)、ウルトラモバイルブロードバンド(UMB)、IEEE 802.11(Wi-Fi)、IEEE 802.16(WiMAX)、IEEE 802.20、ウルトラワイドバンド(UWB)、Bluetooth(登録商標)、および/または他の適切なシステムを利用するシステムに拡張され得る。利用される実際の電気通信標準規格、ネットワークアーキテクチャ、および/または通信規格は、具体的な用途、およびシステムに課される全体的な設計制約によって決まる。
【０１０３】
本開示の様々な態様によれば、要素または要素の任意の一部分または要素の任意の組合せは、1つまたは複数のプロセッサを含む「処理システム」を実装される場合がある。プロセッサの例には、マイクロプロセッサ、マイクロコントローラ、デジタル信号プロセッサ(DSP)、フィールドプログラマブルゲートアレイ(FPGA)、プログラマブル論理デバイス(PLD)、状態機械、ゲート論理、個別ハードウェア回路、および本開示全体にわたって説明される様々な機能を実行するように構成された他の適切なハードウェアがある。処理システム中の1つまたは複数のプロセッサは、ソフトウェアを実行し得る。ソフトウェアは、ソフトウェア、ファームウェア、ミドルウェア、マイクロコード、ハードウェア記述言語と呼ばれるか、または他の名称で呼ばれるかどうかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、プロシージャ、機能などを意味するように広く解釈されるべきである。ソフトウェアは、コンピュータ可読媒体上に存在してもよい。コンピュータ可読媒体は、非一時的コンピュータ可読媒体であってもよい。非一時的コンピュータ可読媒体は、例として、磁気記憶デバイス(たとえば、ハードディスク、フレキシブルディスク、磁気ストリップ)、光ディスク(たとえば、コンパクトディスク(CD)、デジタル多目的ディスク(DVD))、スマートカード、フラッシュメモリデバイス(たとえば、カード、スティック、キードライブ)、ランダムアクセスメモリ(RAM)、読取り専用メモリ(ROM)、プログラマブルROM(PROM)、消去可能PROM(EPROM)、電気的消去可能PROM(EEPROM)、レジスタ、取り外し可能ディスク、ならびに、コンピュータがアクセスし読み取る場合があるソフトウェアおよび/または命令を記憶するための任意の他の適切な媒体を含む。コンピュータ可読媒体には、例として、搬送波、送信路、ならびに、コンピュータがアクセスし読み取る場合があるソフトウェアおよび/または命令を送信するための任意の他の適切な媒体を含む場合もある。コンピュータ可読媒体は、処
理システム中に存在し、処理システムの外部に存在し、または処理システムを含む複数のエンティティにわたって分散される場合がある。コンピュータ可読媒体は、コンピュータプログラム製品において具現化され得る。例として、コンピュータプログラム製品は、パッケージング材料の中のコンピュータ可読媒体を含んでよい。当業者は、具体的な適用例および全体的なシステムに課された設計制約全体に応じて、本開示全体にわたって提示された説明された機能を最善の形で実装する方法を認識するであろう。
【０１０４】
開示された方法におけるステップの具体的な順序または階層は、例示的なプロセスの例示であることを理解されたい。設計の選好に基づいて、方法におけるステップの具体的な順序または階層は再構成され得ることを理解されたい。添付の方法クレームは、様々なステップの要素を例示的な順序で提示したものであり、クレーム内で具体的に記載されない限り、提示された具体的な順序または階層に限定されることを意図するものではない。
【０１０５】
上記の説明は、本明細書で説明する様々な態様を当業者が実践できるようにするために提供される。これらの態様に対する様々な変更形態は、当業者に容易に明らかになり、本明細書において規定される一般原理は、他の態様に適用される場合がある。したがって、特許請求の範囲は本明細書において示される態様に限定されることは意図されず、特許請求の範囲の文言と一致するすべての範囲が認められるべきであり、単数の要素への言及は、「唯一の」と明記されない限り、「唯一の」ではなく、「1つまたは複数の」を意味することが意図されている。別段に明記されていない限り、「いくつかの」という用語は1つまたは複数の、を指す。項目のリスト「のうちの少なくとも1つ」について言及する句は、単一のメンバーを含むそれらの項目の任意の組合せを指す。一例として、「a、b、またはcのうちの少なくとも1つ」は、少なくとも1つのa、少なくとも1つのb、少なくとも1つのc、少なくとも1つのaおよび少なくとも1つのb、少なくとも1つのaおよび少なくとも1つのc、少なくとも1つのbおよび少なくとも1つのc、ならびに少なくとも1つのa、少なくとも1つのbおよび少なくとも1つのcを包含することが意図される。当業者に知られているまたは後で当業者に知られることになる、本開示全体にわたって説明する様々な態様の要素の構造的および機能的なすべての均等物は、参照により本明細書に明確に組み込まれ、特許請求の範囲によって包含されることが意図される。さらに、本明細書に開示されたものは、そのような開示が特許請求の範囲において明示的に列挙されているかどうかにかかわらず、公に供されることは意図されていない。請求項のいかなる要素も、「のための手段」という句を使用して要素が明示的に列挙されていない限り、または方法クレームの場合、「のためのステップ」という句を使用して要素が列挙されていない限り、米国特許法第112条第6項の規定の下で解釈されるべきではない。
【符号の説明】
【０１０６】
10  ワイヤレス通信システム
12  UE
14  ネットワークエンティティ
16  無線ネットワークコントローラ(RNC)
18  ネットワーク
20  ワイヤレス通信
30  モデム構成要素
32  無線リソース制御(RRC)構成要素
34  送信機
36  受信機
40  圧縮モード構成要素
42  レートマッチング構成要素
44  送信ギャップ構成要素
46  スロットマッピング構成要素
48  デコーダ
50  フレーム早期終了(FET)構成要素
52  信号推定構成要素
60  圧縮モード構成要素
62  レートマッチング構成要素
64  送信ギャップ構成要素
66  スロットマッピング構成要素
68  FET構成要素
72  送信機
600  フレーム構造
602  圧縮間隔
604  第1の無線フレーム
606  第2の無線フレーム
608  送信ギャップ
700  フレーム構造
702  圧縮間隔
704  第1のフレーム
706  第2のフレーム
708  送信ギャップ
800  フレーム構造
808  送信ギャップ
900  スロットフォーマット
902  データ部分
904  TPCコマンド
906  TPCコマンド
1000  装置
1002  バス
1004  プロセッサ
1006  コンピュータ可読媒体
1008  バスインターフェース
1010  送受信機
1012  ユーザインターフェース
1014  処理システム
1100  UMTSシステム
1102  UMTS地上波無線アクセスネットワーク(UTRAN)
1104  コアネットワーク(CN)
1106  無線ネットワークコントローラ(RNC)
1107  無線ネットワークサブシステム(RNS)
1108  ノードB
1110  ユーザ機器(UE)
1111  ユニバーサル加入者識別モジュール(USIM)
1112  MSC
1114  GMSC
1115  ホームロケーションレジスタ(HLR)
1116  回線交換ネットワーク
1118  サービングGPRSサポートノード(SGSN)
1120  ゲートウェイGPRSサポートノード(GGSN)
1122  ネットワーク
1200  アクセスネットワーク
1202  セル
1204  セル
1206  セル
1212  アンテナグループ
1214  アンテナグループ
1216  アンテナグループ
1218  アンテナグループ
1220  アンテナグループ
1222  アンテナグループ
1224  アンテナグループ
1226  アンテナグループ
1228  アンテナグループ
1230  UE
1232  UE
1234  UE
1236  UE
1238  UE
1240  UE
1242  ノードB
1244  ノードB
1246  ノードB
1300  無線プロトコルアーキテクチャ
1306  レイヤ1
1307  物理レイヤ
1308  レイヤ2(L2レイヤ)
1309  媒体アクセス制御(MAC)サブレイヤ
1310  レイヤ3(L3レイヤ)
1311  無線リンク制御(RLC)サブレイヤ
1313  パケットデータコンバージェンスプロトコル(PDCP)サブレイヤ
1315  無線リソース制御(RRC)サブレイヤ
1410  ノードB
1412  データソース
1420  送信プロセッサ
1430  送信フレームプロセッサ
1432  送信機
1434  アンテナ
1435  受信機
1436  受信フレームプロセッサ
1438  受信プロセッサ
1439  データシンク
1440  コントローラ/プロセッサ
1442  メモリ
1444  チャネルプロセッサ
1446  スケジューラ/プロセッサ
1450  UE
1452  アンテナ
1454  受信機
1456  送信機
1460  受信フレームプロセッサ
1470  受信プロセッサ
1472  データシンク
1478  データソース
1480  送信プロセッサ
1482  送信フレームプロセッサ
1490  コントローラ/プロセッサ
1492  メモリ
1494  チャネルプロセッサ
【図１】
0006499196.tif 000003
【図２】
0006499196.tif 000004
【図３】
0006499196.tif 000005
【図４】
0006499196.tif 000006
【図５】
0006499196.tif 000007
【図６】
0006499196.tif 000008
【図７】
0006499196.tif 000009
【図８】
0006499196.tif 000010
【図９】
0006499196.tif 000011
【図１０】
0006499196.tif 000012
【図１１】
0006499196.tif 000013
【図１２】
0006499196.tif 000014
【図１３】
0006499196.tif 000015
【図１４】
0006499196.tif 000016